(57)【特許請求の範囲】
【請求項１】
ＤＴＭＦ信号および音声信号を符号化して伝送する音声伝送装置において、
入力した音声信号に対して音声符号化処理を行う音声符号化処理手段と、
入力したＤＴＭＦ信号に対して符号化処理を行うＤＴＭＦ符号化処理手段と、
入力した音声信号およびＤＴＭＦ信号に対して音声符号化処理を行う音声／ＤＴＭＦ符号化処理手段と、
前記ＤＴＭＦ符号化処理手段で符号化処理されたＤＴＭＦ信号または音声／ＤＴＭＦ符号化処理手段で音声符号化処理されたＤＴＭＦ信号を選択する第１のセレクタと、
入力信号や伝送路の品質、自装置の輻輳あるいは呼接続等の状態を監視し前記状態に応じて前記第１のセレクタの選択動作を制御するＤＴＭＦ伝送制御処理手段と、
入力した信号に対してＤＴＭＦ信号であることを検出するＤＴＭＦ検出手段と、
このＤＴＭＦ検出手段が前記入力した信号をＤＴＭＦ信号ではないと判定した場合に前記音声符号化処理手段の出力を選択し、前記ＤＴＭＦ検出手段が前記入力した信号をＤＴＭＦ信号であると判定した場合に前記第１のセレクタの選択出力信号を選択する第２のセレクタとを備えたことを特徴とする音声伝送装置。
【請求項２】
音声／ＤＴＭＦ符号化処理手段が、音声符号化処理手段における音声符号化速度よりも符号化速度は高いが、音声信号およびＤＴＭＦ信号をいずれも音声符号化処理することを特徴とする請求項１記載の音声伝送装置。
【請求項３】
音声／ＤＴＭＦ符号化処理手段が、音声符号化処理手段における音声符号化速度と符号化速度は同じであるが、ＤＴＭＦ信号に特化した符号化アルゴリズムを持ち、音声品質としては劣るがＤＴＭＦ信号符号化処理することを特徴とする請求項１記載の音声伝送装置。
【請求項４】
ＤＴＭＦ伝送制御処理手段が、呼の接続状態を監視して前記呼の接続状態に応じてＤＴＭＦ信号の伝送にＤＴＭＦ符号化部および音声／ＤＴＭＦ符号化部のいずれの出力を用いるか第１のセレクタを制御する呼接続状態監視制御手段であることを特徴とする請求項１から請求項３のうちのいずれか１項記載の音声伝送装置。
【請求項５】
呼接続状態監視制御手段が、送信側シグナリング信号であるＳＳシグナリング情報を監視して前記ＳＳシグナリング状態に応じてＤＴＭＦ信号の伝送にＤＴＭＦ符号化処理手段および音声／ＤＴＭＦ符号化処理手段のいずれを用いるか第１のセレクタを制御するＳＳ状態監視制御手段であることを特徴とする請求項４記載の音声伝送装置。
【請求項６】
呼接続状態監視制御手段が、受信側シグナリング信号であるＳＲシグナリング情報を監視してＳＲシグナリングの状態に応じてそのＳＲシグナリングの状態によってＤＴＭＦ信号の伝送にＤＴＭＦ符号化処理手段および音声／ＤＴＭＦ符号化処理手段のいずれを用いるか第１のセレクタを制御するＳＲ状態監視制御手段であることを特徴とする請求項４記載の音声伝送装置。
【請求項７】
呼接続状態監視制御手段が、共通線シグナリング信号であるＳＳ７シグナリング情報を監視してそのＳＳ７シグナリングの状態によってＤＴＭＦ信号の伝送にＤＴＭＦ符号化処理手段および音声／ＤＴＭＦ符号化処理手段のいずれを用いるか第１のセレクタを制御するＳＳ７状態監視制御手段であることを特徴とする請求項４記載の音声伝送装置。
【請求項８】
ＤＴＭＦ伝送制御処理手段が、入力される音声信号やＤＴＭＦ信号の品質を監視して前記品質に応じてＤＴＭＦ信号の伝送にＤＴＭＦ符号化処理手段および音声／ＤＴＭＦ符号化処理手段のいずれを用いるか第１のセレクタを制御する入力信号品質監視制御手段であることを特徴とする請求項１から請求項３のうちのいずれか１項記載の音声伝送装置。
【請求項９】
入力信号品質監視制御手段が、入力される信号のＳＮ比を監視して前記ＳＮ比に応じてＤＴＭＦ信号の伝送にＤＴＭＦ符号化処理手段および音声／ＤＴＭＦ符号化処理手段のいずれを用いるか第１のセレクタを制御するＳＮ比監視制御手段であることを特徴とする請求項８記載の音声伝送装置。
【請求項１０】
入力信号品質監視制御手段が、入力されるＤＴＭＦ信号のツイスト歪みを監視して前記ツイスト歪みに応じてＤＴＭＦ符号化処理手段および音声／ＤＴＭＦ符号化処理手段のいずれを用いるか第１のセレクタを制御するツイスト歪み監視制御手段であることを特徴とする請求項８記載の音声伝送装置。
【請求項１１】
入力信号品質監視制御手段が、入力される信号のパワーを監視し、前記信号のパワーに応じてＤＴＭＦ信号の伝送にＤＴＭＦ符号化処理手段および音声／ＤＴＭＦ符号化部処理手段のいずれを用いるか選択する第１のセレクタを制御する信号パワー監視制御手段であることを特徴とする請求項８記載の音声伝送装置。
【請求項１２】
ＤＴＭＦ伝送制御処理手段が、伝送路回線の伝送品質を監視して前記伝送路品質に応じてＤＴＭＦ信号の伝送にＤＴＭＦ符号化処理手段および音声／ＤＴＭＦ符号化処理手段のいずれを用いるか選択する第１のセレクタを制御する伝送路品質監視制御手段であることを特徴とする請求項１から請求項３のうちのいずれか１項記載の音声伝送装置。
【請求項１３】
伝送路品質監視制御手段が、伝送路回線のデータ誤り率を監視して前記データ誤り率に応じてＤＴＭＦ信号の伝送にＤＴＭＦ符号化処理手段および音声／ＤＴＭＦ符号化処理手段のいずれを用いるか選択する第１のセレクタを制御するデータ誤り率監視制御手段であることを特徴とする請求項１２記載の音声伝送装置。
【請求項１４】
伝送路品質監視制御手段が、伝送路回線のＩＰパケットの損失率を監視して前記損失率に応じてＤＴＭＦ信号の伝送にＤＴＭＦ符号化処理手段および音声／ＤＴＭＦ符号化処理手段のいずれを用いるか選択する第１のセレクタを制御するＩＰパケット損失率監視制御手段であることを特徴とする請求項１２記載の音声伝送装置。
【請求項１５】
伝送路品質監視制御手段が、伝送路回線のＩＰパケットの到着揺らぎ量を監視して前記到着揺らぎ量に応じてＤＴＭＦ信号の伝送にＤＴＭＦ符号化処理手段および音声／ＤＴＭＦ符号化処理手段のいずれを用いるか選択する第１のセレクタを制御するＩＰパケット揺らぎ量監視制御手段であることを特徴とする請求項１２記載の音声伝送装置。
【請求項１６】
伝送路品質監視制御手段が、伝送路回線のＡＴＭセル損失率を監視して前記ＡＴＭセル損失率に応じてＤＴＭＦ信号の伝送にＤＴＭＦ符号化処理手段および音声／ＤＴＭＦ符号化処理手段のいずれを用いるか選択する第１のセレクタを制御するＡＴＭセル損失率監視制御手段であることを特徴とする請求項１２記載の音声伝送装置。
【請求項１７】
伝送路品質監視制御手段が、伝送路回線のＡＴＭセル損失率を監視し、伝送路回線のＡＴＭセルの到着揺らぎ量を監視して前記ＡＴＭセルの到着揺らぎ量に応じてＤＴＭＦ信号の伝送にＤＴＭＦ符号化処理手段および音声／ＤＴＭＦ符号化処理手段のいずれを用いるか選択する第１のセレクタを制御するＡＴＭセル揺らぎ監視制御手段であることを特徴とする請求項１２記載の音声伝送装置。
【請求項１８】
ＤＴＭＦ伝送制御処理手段が、装置内の輻輳状態を監視して、前記輻輳状態に応じてＤＴＭＦ信号の伝送にＤＴＭＦ符号化処理手段および音声／ＤＴＭＦ符号化処理手段のいずれを用いるか選択する第１のセレクタを制御する装置輻輳状態監視制御手段であることを特徴とする請求項１から請求項３のうちのいずれか１項記載の音声伝送装置。
【請求項１９】
装置輻輳状態監視制御手段が、伝送すべき音声信号の自装置内の輻輳による締め出し率を監視して前記締め出し率に応じてＤＴＭＦ信号の伝送にＤＴＭＦ符号化処理手段および音声／ＤＴＭＦ符号化処理手段のいずれを用いるか選択する第１のセレクタを制御する締め出し率監視制御手段であることを特徴とする請求項１８記載の音声伝送装置。
【請求項２０】
装置輻輳状態監視制御手段が、ＩＰパケットの装置内でのＩＰパケット廃棄率を監視して前記ＩＰパケット廃棄率に応じてＤＴＭＦ信号の伝送にＤＴＭＦ符号化処理手段および音声／ＤＴＭＦ符号化処理手段のいずれを用いるか選択する第１のセレクタを制御するＩＰパケット廃棄率監視制御手段であることを特徴とする請求項１８記載の音声伝送装置。
【請求項２１】
装置輻輳状態監視制御手段が、ＡＴＭセルの装置内での廃棄率を監視して前記ＡＴＭセル廃棄率に応じてＤＴＭＦ信号の伝送にＤＴＭＦ符号化処理手段および音声／ＤＴＭＦ符号化処理手段のいずれを用いるか選択する第１のセレクタを制御するＡＴＭセル廃棄率監視制御手段であることを特徴とする請求項１８記載の音声伝送装置。
【請求項２２】
ＤＴＭＦ信号および音声信号を符号化して伝送する音声伝送装置において、
入力した音声信号に対して音声符号化処理を行う音声符号化処理手段と、
入力したＤＴＭＦ信号に対して符号化処理を行うＤＴＭＦ符号化処理手段と、
入力した音声信号およびＤＴＭＦ信号に対して音声符号化処理を行う第１の音声／ＤＴＭＦ符号化処理手段と、
入力した音声信号およびＤＴＭＦ信号に対して音声符号化処理を行い前記第１の音声／ＤＴＭＦ符号化処理手段よりも符号化速度が高く高品質な符号化データを出力する第２の音声／ＤＴＭＦ符号化処理手段と、
前記ＤＴＭＦ符号化処理手段で符号化処理されたＤＴＭＦ信号、前記第１の音声／ＤＴＭＦ符号化処理手段で音声符号化処理されたＤＴＭＦ信号および前記第２の音声／ＤＴＭＦ符号化処理手段で音声符号化処理されたＤＴＭＦ信号のうちのいずれかを選択する第１のセレクタと、
入力信号や伝送路の品質、自装置の輻輳あるいは呼接続等の状態を監視し前記状態に応じて前記第１のセレクタの選択動作を制御するＤＴＭＦ伝送制御手段と、
入力した信号に対してＤＴＭＦ信号であることを検出するＤＴＭＦ検出手段と、
このＤＴＭＦ検出手段が前記入力した信号をＤＴＭＦ信号ではないと判定した場合に前記音声符号化処理手段出力を選択し、前記ＤＴＭＦ検出手段が前記入力した信号をＤＴＭＦ信号であると判定した場合に前記第１のセレクタの選択出力信号を選択する第２のセレクタとを備えたことを特徴とする音声伝送装置。
【請求項２３】
ＤＴＭＦ伝送制御処理手段が、伝送路回線の伝送品質を監視し前記伝送路品質に応じて第１の音声／ＤＴＭＦ符号化処理手段の出力または第２の音声／ＤＴＭＦ符号化処理手段の出力を第１ステップで選択するように第１のセレクタを制御する伝送路品質監視制御手段と、呼の接続状態を監視し前記呼の接続状態に応じてＤＴＭＦ信号の伝送にＤＴＭＦ符号化処理手段の出力または第１ステップで選択された前記第１あるいは第２の音声／ＤＴＭＦ符号化処理手段の出力を第２ステップで選択するように前記第１のセレクタを制御する呼接続状態監視制御手段とからなることを特徴とする請求項２２記載の音声伝送装置。
【請求項２４】
ＤＴＭＦ伝送制御処理手段が、装置内の輻輳状態を監視し前記輻輳状態に応じて第１の音声／ＤＴＭＦ符号化処理手段の出力または第２の音声／ＤＴＭＦ符号化処理手段の出力を第１ステップで選択するように第１のセレクタを制御する装置輻輳状態監視制御手段と、呼の接続状態を監視し前記呼の接続状態に応じてＤＴＭＦ信号の伝送にＤＴＭＦ符号化処理手段の出力または第１ステップで選択された前記第１あるいは第２の音声／ＤＴＭＦ符号化処理手段の出力を第２ステップで選択するように前記第１のセレクタを制御する呼接続状態監視制御手段とからなることを特徴とする請求項２２記載の音声伝送装置。
【請求項２５】
ＤＴＭＦ伝送制御処理手段が、伝送路回線の伝送品質を監視し前記伝送路品質に応じて第１の音声／ＤＴＭＦ符号化処理手段の出力または第２の音声／ＤＴＭＦ符号化処理手段の出力を第１ステップで選択するように第１のセレクタを制御する伝送路品質監視制御手段と、入力される音声信号やＤＴＭＦ信号の品質を監視し前記品質に応じてＤＴＭＦ信号の伝送にＤＴＭＦ符号化処理手段の出力または第１ステップで選択された前記第１あるいは第２の音声／ＤＴＭＦ符号化処理手段の出力を第２ステップで選択するように前記第１のセレクタを制御する入力信号品質監視制御手段とからなることを特徴とする請求項２２記載の音声伝送装置。
【請求項２６】
ＤＴＭＦ伝送制御処理手段が、装置内の輻輳状態を監視し前記輻輳状態に応じて第１の音声／ＤＴＭＦ符号化処理手段の出力または第２の音声／ＤＴＭＦ符号化処理手段の出力を第１ステップで選択するように第１のセレクタを制御する装置輻輳状態監視制御手段と、入力される音声信号やＤＴＭＦ信号の品質を監視し前記品質に応じてＤＴＭＦ信号の伝送にＤＴＭＦ符号化処理手段の出力または第１ステップで選択された前記第１あるいは第２の音声／ＤＴＭＦ符号化処理手段の出力を第２ステップで選択するように前記第１のセレクタを制御する入力信号品質監視制御手段とからなることを特徴とする請求項２２記載の音声伝送装置。
【請求項２７】
ＤＴＭＦ伝送制御処理手段が、伝送路回線の伝送品質を監視し前記伝送品質の検出レベルに応じて第１の音声／ＤＴＭＦ符号化処理手段の出力、第２の音声／ＤＴＭＦ符号処理化手段の出力およびＤＴＭＦ符号化処理手段の出力のうちからいずれかを選択するように第１のセレクタを制御する伝送路品質監視制御手段であることを特徴とする請求項２２記載の音声伝送装置。
【請求項２８】
ＤＴＭＦ伝送制御処理手段が、装置内の輻輳状態を監視し前記輻輳状態の検出レベルに応じて第１の音声／ＤＴＭＦ符号化処理手段の出力、第２の音声／ＤＴＭＦ符号処理化手段の出力およびＤＴＭＦ符号化処理手段の出力のうちからいずれかを選択するように第１のセレクタを制御する装置輻輳状態監視制御手段であることを特徴とする請求項２２記載の音声伝送装置。
【発明の詳細な説明】
【０００１】
【発明の属する技術分野】
この発明は高能率音声符号化技術を適用して音声信号およびＤＴＭＦ信号（Ｄｕａｌ  Ｔｏｎｅ  Ｍｕｌｔｉ−Ｆｒｅｑｕｅｎｃｙ：押しボタンダイヤル信号）を伝送する音声伝送装置に関するものである。
【０００２】
【従来の技術】
図２７は従来の音声伝送装置の構成を示すブロック図である。図において、８は音声伝送装置の入力端子、９は音声伝送装置の出力端子、１０は音声信号の符号化を行う音声符号化部、１１はＤＴＭＦ信号の符号化を行うＤＴＭＦ符号化部、１２は入力された信号がＤＴＭＦ信号か否かを検出・判定するＤＴＭＦ検出部、１３はＤＴＭＦ検出部１２からの制御により音声符号化部１０の出力か或いはＤＴＭＦ符号化部１１の出力かを選択し出力するセレクタである。
【０００３】
次に動作について説明する。
入力された音声信号またはＤＴＭＦ信号は、音声符号化部１０およびＤＴＭＦ符号化部１１にて処理され、デジタルのデータ列に変換される。音声符号化部１０では音声符号化技術により処理され、またＤＴＭＦ符号化部１１ではＤＴＭＦの音声信号をＤＴＭＦの数値にデコード処理される。一方、ＤＴＭＦ検出部１２では、入力された信号がＤＴＭＦ信号であるか否かを検出・判定し、ＤＴＭＦ信号であると判定した場合にはＤＴＭＦ符号化部１１の出力が選択されるようセレクタ１３を制御し、またＤＴＭＦ信号ではないと判定した場合には音声符号化部１０の出力が選択されるようセレクタ１３を制御する。セレクタ１３では、ＤＴＭＦ検出部１２からの指示により入力信号を選択し、伝送路側へ出力する。
【０００４】
また、図２８は特開平８−３０７３６６号に記載された従来の音声符号化装置について示すブロック図である。図において、１１１は入力端子、１１２は入力端子１１１から入力された信号がＤＴＭＦ信号か否かを検出・判定するＤＴＭＦ検出回路、１１３はＤＴＭＦ信号の符号化を行うＤＴＭＦ符号化回路、１１４は音声信号の符号化を行う音声符号化回路である。１１２ａはＤＴＭＦ検出回路１１２からの制御により音声符号化回路１１４への出力か、あるいはＤＴＭＦ符号化回路１１３への出力かを選択し出力する切替回路である。１１５はＤＴＭＦ検出回路１１２からの制御により音声符号化回路１１４からの出力か、あるいはＤＴＭＦ符号化回路１１３からの出力かを選択し、選択された出力を出力端子１１６へ送出する出力選択回路である。
【０００５】
次に動作について説明する。
入力された音声信号またはＤＴＭＦ信号は、ＤＴＭＦ信号検出回路１１２にてＤＴＭＦ信号か否かを判定される。ＤＴＭＦ信号であると判定され、その旨を通知された切替回路１１２ａは、入力端子１１１からの入力信号をＤＴＭＦ符号化回路１１３に接続する。ＤＴＭＦ符号化回路１１３に与えられたＤＴＭＦ信号は符号化、つまりＤＴＭＦ信号をデコードしＤＴＭＦ信号が示す数値に変換され、符号化ＤＴＭＦ信号として出力される。また、ＤＴＭＦ信号であると通知された出力選択回路１１５は、ＤＴＭＦ符号化回路１１３からの出力を選択して出力端子１１６へ出力する。一方、ＤＴＭＦ検出回路１１２にてＤＴＭＦではないと判定されると、その旨を通知された切替回路１１２ａおよび出力選択回路１１５は、それぞれ、入力端子１１１からの入力信号を音声符号化回路１１４へ接続し、音声符号化回路１１４からの出力を選択して出力端子１１６へ出力する。この時、入力された信号は音声符号化回路１１４にて音声符号化され符号化音声信号として出力されることとなる。
【０００６】
【発明が解決しようとする課題】
従来の音声伝送装置および音声符号化装置は、以上のように構成されているので、通話中に誤って音声信号をＤＴＭＦ信号と検出・判定してしまった場合、ＤＴＭＦ符号化部１１或いはＤＴＭＦ符号化回路１１３にてデコード処理された出力信号が対向装置に伝送されてしまうことになる。したがって、この信号を受信した対向側装置側は、このデコード信号に基づきＤＴＭＦ信号を発生させることとなり、結果として、対向の通話者に対して突如としてＤＴＭＦ信号の音を聞かせることになり、通話者に不快感を与えてしまうという問題点があった。
【０００７】
この発明は上記のような問題点を解決するためになされたもので、通話中にＤＴＭＦ信号を誤って検出・判定してしまった場合でも通話者に不快感を与えることなく、かつ、実際にＤＴＭＦ信号が伝送される場合でも確実にＤＴＭＦ信号を伝えることができる高品質な音声伝送装置を得ることを目的とする。
【０００８】
【課題を解決するための手段】
この発明に係る音声伝送装置は、ＤＴＭＦ信号および音声信号を符号化して伝送する音声伝送装置において、入力した音声信号に対して音声符号化処理を行う音声符号化処理手段と、入力したＤＴＭＦ信号に対して符号化処理を行うＤＴＭＦ符号化処理手段と、入力した音声信号およびＤＴＭＦ信号に対して音声符号化処理を行う音声／ＤＴＭＦ符号化処理手段と、前記ＤＴＭＦ符号化処理手段で符号化処理されたＤＴＭＦ信号または音声／ＤＴＭＦ符号化処理手段で音声符号化処理されたＤＴＭＦ信号を選択する第１のセレクタと、入力信号や伝送路の品質、自装置の輻輳あるいは呼接続等の状態を監視し前記状態に応じて前記第１のセレクタの選択動作を制御するＤＴＭＦ伝送制御処理手段と、入力した信号に対してＤＴＭＦ信号であることを検出するＤＴＭＦ検出手段と、このＤＴＭＦ検出手段が前記入力した信号をＤＴＭＦ信号ではないと判定した場合に前記音声符号化処理手段の出力を選択し、前記ＤＴＭＦ検出手段が前記入力した信号をＤＴＭＦ信号であると判定した場合に前記第１のセレクタの選択出力信号を選択する第２のセレクタとを備えたものである。
【０００９】
この発明に係る音声伝送装置は、音声／ＤＴＭＦ符号化処理手段が、音声符号化処理手段における音声符号化速度よりも符号化速度は高いが、音声信号およびＤＴＭＦ信号をいずれも音声符号化処理するようにしたものである。
【００１０】
この発明に係る音声伝送装置は、音声／ＤＴＭＦ符号化処理手段が、音声符号化処理手段における音声符号化速度と符号化速度は同じであるが、ＤＴＭＦ信号に特化した符号化アルゴリズムを持ち、音声品質としては劣るがＤＴＭＦ信号符号化処理するようにしたものである。
【００１１】
この発明に係る音声伝送装置は、ＤＴＭＦ伝送制御処理手段が、呼の接続状態を監視して前記呼の接続状態に応じてＤＴＭＦ信号の伝送にＤＴＭＦ符号化部および音声／ＤＴＭＦ符号化部のいずれの出力を用いるか第１のセレクタを制御する呼接続状態監視制御手段であるようにしたものである。
【００１２】
この発明に係る音声伝送装置は、呼接続状態監視制御手段が、送信側シグナリング信号であるＳＳシグナリング情報を監視して前記ＳＳシグナリング状態に応じてＤＴＭＦ信号の伝送にＤＴＭＦ符号化処理手段および音声／ＤＴＭＦ符号化処理手段のいずれを用いるか第１のセレクタを制御するＳＳ状態監視制御手段であるようにしたものである。
【００１３】
この発明に係る音声伝送装置は、呼接続状態監視制御手段が、受信側シグナリング信号であるＳＲシグナリング情報を監視してＳＲシグナリングの状態に応じてそのＳＲシグナリングの状態によってＤＴＭＦ信号の伝送にＤＴＭＦ符号化処理手段および音声／ＤＴＭＦ符号化処理手段のいずれを用いるか第１のセレクタを制御するＳＲ状態監視制御手段であるようにしたものである。
【００１４】
この発明に係る音声伝送装置は、呼接続状態監視制御手段が、共通線シグナリング信号であるＳＳ７シグナリング情報を監視してそのＳＳ７シグナリングの状態によってＤＴＭＦ信号の伝送にＤＴＭＦ符号化処理手段および音声／ＤＴＭＦ符号化処理手段のいずれを用いるか第１のセレクタを制御するＳＳ７状態監視制御手段であるようにしたものである。
【００１５】
この発明に係る音声伝送装置は、ＤＴＭＦ伝送制御処理手段が、入力される音声信号やＤＴＭＦ信号の品質を監視して前記品質に応じてＤＴＭＦ信号の伝送にＤＴＭＦ符号化処理手段および音声／ＤＴＭＦ符号化処理手段のいずれを用いるか第１のセレクタを制御する入力信号品質監視制御手段であるようにしたものである。
【００１６】
この発明に係る音声伝送装置は、入力信号品質監視制御手段が、入力される信号のＳＮ比を監視して前記ＳＮ比に応じてＤＴＭＦ信号の伝送にＤＴＭＦ符号化処理手段および音声／ＤＴＭＦ符号化処理手段のいずれを用いるか第１のセレクタを制御するＳＮ比監視制御手段であるようにしたものである。
【００１７】
この発明に係る音声伝送装置は、入力信号品質監視制御手段が、入力されるＤＴＭＦ信号のツイスト歪みを監視して前記ツイスト歪みに応じてＤＴＭＦ符号化処理手段および音声／ＤＴＭＦ符号化処理手段のいずれを用いるか第１のセレクタを制御するツイスト歪み監視制御手段であるようにしたものである。
【００１８】
この発明に係る音声伝送装置は、入力信号品質監視制御手段が、入力される信号のパワーを監視し、前記信号のパワーに応じてＤＴＭＦ信号の伝送にＤＴＭＦ符号化処理手段および音声／ＤＴＭＦ符号化部処理手段のいずれを用いるか選択する第１のセレクタを制御する信号パワー監視制御手段であるようにしたものである。
【００１９】
この発明に係る音声伝送装置は、ＤＴＭＦ伝送制御処理手段が、伝送路回線の伝送品質を監視して前記伝送路品質に応じてＤＴＭＦ信号の伝送にＤＴＭＦ符号化処理手段および音声／ＤＴＭＦ符号化処理手段のいずれを用いるか選択する第１のセレクタを制御する伝送路品質監視制御手段であるようにしたものである。
【００２０】
この発明に係る音声伝送装置は、伝送路品質監視制御手段が、伝送路回線のデータ誤り率を監視して前記データ誤り率に応じてＤＴＭＦ信号の伝送にＤＴＭＦ符号化処理手段および音声／ＤＴＭＦ符号化処理手段のいずれを用いるか選択する第１のセレクタを制御するデータ誤り率監視制御手段であるようにしたものである。
【００２１】
この発明に係る音声伝送装置は、伝送路品質監視制御手段が、伝送路回線のＩＰパケットの損失率を監視して前記損失率に応じてＤＴＭＦ信号の伝送にＤＴＭＦ符号化処理手段および音声／ＤＴＭＦ符号化処理手段のいずれを用いるか選択する第１のセレクタを制御するＩＰパケット損失率監視制御手段であるようにしたものである。
【００２２】
この発明に係る音声伝送装置は、伝送路品質監視制御手段が、伝送路回線のＩＰパケットの到着揺らぎ量を監視して前記到着揺らぎ量に応じてＤＴＭＦ信号の伝送にＤＴＭＦ符号化処理手段および音声／ＤＴＭＦ符号化処理手段のいずれを用いるか選択する第１のセレクタを制御するＩＰパケット揺らぎ量監視制御手段であるようにしたものである。
【００２３】
この発明に係る音声伝送装置は、伝送路品質監視制御手段が、伝送路回線のＡＴＭセル損失率を監視して前記ＡＴＭセル損失率に応じてＤＴＭＦ信号の伝送にＤＴＭＦ符号化処理手段および音声／ＤＴＭＦ符号化処理手段のいずれを用いるか選択する第１のセレクタを制御するＡＴＭセル損失率監視制御手段であるようにしたものである。
【００２４】
この発明に係る音声伝送装置は、伝送路品質監視制御手段が、伝送路回線のＡＴＭセル損失率を監視し、伝送路回線のＡＴＭセルの到着揺らぎ量を監視して前記ＡＴＭセルの到着揺らぎ量に応じてＤＴＭＦ信号の伝送にＤＴＭＦ符号化処理手段および音声／ＤＴＭＦ符号化処理手段のいずれを用いるか選択する第１のセレクタを制御するＡＴＭセル揺らぎ監視制御手段であるようにしたものである。
【００２５】
この発明に係る音声伝送装置は、ＤＴＭＦ伝送制御処理手段が、装置内の輻輳状態を監視して、前記輻輳状態に応じてＤＴＭＦ信号の伝送にＤＴＭＦ符号化処理手段および音声／ＤＴＭＦ符号化処理手段のいずれを用いるか選択する第１のセレクタを制御する装置輻輳状態監視制御手段であるようにしたものである。
【００２６】
この発明に係る音声伝送装置は、装置輻輳状態監視制御手段が、伝送すべき音声信号の自装置内の輻輳による締め出し率を監視して前記締め出し率に応じてＤＴＭＦ信号の伝送にＤＴＭＦ符号化処理手段および音声／ＤＴＭＦ符号化処理手段のいずれを用いるか選択する第１のセレクタを制御する締め出し率監視制御手段であるようにしたものである。
【００２７】
この発明に係る音声伝送装置は、装置輻輳状態監視制御手段が、ＩＰパケットの装置内でのＩＰパケット廃棄率を監視して前記ＩＰパケット廃棄率に応じてＤＴＭＦ信号の伝送にＤＴＭＦ符号化処理手段および音声／ＤＴＭＦ符号化処理手段のいずれを用いるか選択する第１のセレクタを制御するＩＰパケット廃棄率監視制御手段であるようにしたものである。
【００２８】
この発明に係る音声伝送装置は、装置輻輳状態監視制御手段が、ＡＴＭセルの装置内での廃棄率を監視して前記ＡＴＭセル廃棄率に応じてＤＴＭＦ信号の伝送にＤＴＭＦ符号化処理手段および音声／ＤＴＭＦ符号化処理手段のいずれを用いるか選択する第１のセレクタを制御するＡＴＭセル廃棄率監視制御手段であるようにしたものである。
【００２９】
この発明に係る音声伝送装置は、ＤＴＭＦ信号および音声信号を符号化して伝送する音声伝送装置において、入力した音声信号に対して音声符号化処理を行う音声符号化処理手段と、入力したＤＴＭＦ信号に対して符号化処理を行うＤＴＭＦ符号化処理手段と、入力した音声信号およびＤＴＭＦ信号に対して音声符号化処理を行う第１の音声／ＤＴＭＦ符号化処理手段と、入力した音声信号およびＤＴＭＦ信号に対して音声符号化処理を行い前記第１の音声／ＤＴＭＦ符号化処理手段よりも符号化速度が高く高品質な符号化データを出力する第２の音声／ＤＴＭＦ符号化処理手段と、前記ＤＴＭＦ符号化処理手段で符号化処理されたＤＴＭＦ信号、前記第１の音声／ＤＴＭＦ符号化処理手段で音声符号化処理されたＤＴＭＦ信号および前記第２の音声／ＤＴＭＦ符号化処理手段で音声符号化処理されたＤＴＭＦ信号のうちのいずれかを選択する第１のセレクタと、入力信号や伝送路の品質、自装置の輻輳あるいは呼接続等の状態を監視し前記状態に応じて前記第１のセレクタの選択動作を制御するＤＴＭＦ伝送制御手段と、入力した信号に対してＤＴＭＦ信号であることを検出するＤＴＭＦ検出手段と、このＤＴＭＦ検出手段が前記入力した信号をＤＴＭＦ信号ではないと判定した場合に前記音声符号化処理手段出力を選択し、前記ＤＴＭＦ検出手段が前記入力した信号をＤＴＭＦ信号であると判定した場合に前記第１のセレクタの選択出力信号を選択する第２のセレクタとを備えたものである。
【００３０】
この発明に係る音声伝送装置は、ＤＴＭＦ伝送制御処理手段が、伝送路回線の伝送品質を監視し前記伝送路品質に応じて第１の音声／ＤＴＭＦ符号化処理手段の出力または第２の音声／ＤＴＭＦ符号化処理手段の出力を第１ステップで選択するように第１のセレクタを制御する伝送路品質監視制御手段と、呼の接続状態を監視し前記呼の接続状態に応じてＤＴＭＦ信号の伝送にＤＴＭＦ符号化処理手段の出力または第１ステップで選択された前記第１あるいは第２の音声／ＤＴＭＦ符号化処理手段の出力を第２ステップで選択するように前記第１のセレクタを制御する呼接続状態監視制御手段とからなるようにしたものである。
【００３１】
この発明に係る音声伝送装置は、ＤＴＭＦ伝送制御処理手段が、装置内の輻輳状態を監視し前記輻輳状態に応じて第１の音声／ＤＴＭＦ符号化処理手段の出力または第２の音声／ＤＴＭＦ符号化処理手段の出力を第１ステップで選択するように第１のセレクタを制御する装置輻輳状態監視制御手段と、呼の接続状態を監視し前記呼の接続状態に応じてＤＴＭＦ信号の伝送にＤＴＭＦ符号化処理手段の出力または第１ステップで選択された前記第１あるいは第２の音声／ＤＴＭＦ符号化処理手段の出力を第２ステップで選択するように前記第１のセレクタを制御する呼接続状態監視制御手段とからなるようにしたものである。
【００３２】
この発明に係る音声伝送装置は、ＤＴＭＦ伝送制御処理手段が、伝送路回線の伝送品質を監視し前記伝送路品質に応じて第１の音声／ＤＴＭＦ符号化処理手段の出力または第２の音声／ＤＴＭＦ符号化処理手段の出力を第１ステップで選択するように第１のセレクタを制御する伝送路品質監視制御手段と、入力される音声信号やＤＴＭＦ信号の品質を監視し前記品質に応じてＤＴＭＦ信号の伝送にＤＴＭＦ符号化処理手段の出力または第１ステップで選択された前記第１あるいは第２の音声／ＤＴＭＦ符号化処理手段の出力を第２ステップで選択するように前記第１のセレクタを制御する入力信号品質監視制御手段とからなるようにしたものである。
【００３３】
この発明に係る音声伝送装置は、ＤＴＭＦ伝送制御処理手段が、装置内の輻輳状態を監視し前記輻輳状態に応じて第１の音声／ＤＴＭＦ符号化処理手段の出力または第２の音声／ＤＴＭＦ符号化処理手段の出力を第１ステップで選択するように第１のセレクタを制御する装置輻輳状態監視制御手段と、入力される音声信号やＤＴＭＦ信号の品質を監視し前記品質に応じてＤＴＭＦ信号の伝送にＤＴＭＦ符号化処理手段の出力または第１ステップで選択された前記第１あるいは第２の音声／ＤＴＭＦ符号化処理手段の出力を第２ステップで選択するように前記第１のセレクタを制御する入力信号品質監視制御手段とからなるようにしたものである。
【００３４】
この発明に係る音声伝送装置は、ＤＴＭＦ伝送制御処理手段が、伝送路回線の伝送品質を監視し前記伝送品質の検出レベルに応じて第１の音声／ＤＴＭＦ符号化処理手段の出力、第２の音声／ＤＴＭＦ符号処理化手段の出力およびＤＴＭＦ符号化処理手段の出力のうちからいずれかを選択するように第１のセレクタを制御する伝送路品質監視制御手段であるようにしたものである。
【００３５】
この発明に係る音声伝送装置は、ＤＴＭＦ伝送制御処理手段が、装置内の輻輳状態を監視し前記輻輳状態の検出レベルに応じて第１の音声／ＤＴＭＦ符号化処理手段の出力、第２の音声／ＤＴＭＦ符号処理化手段の出力およびＤＴＭＦ符号化処理手段の出力のうちからいずれかを選択するように第１のセレクタを制御する装置輻輳状態監視制御手段であるようにしたものである。
【００３６】
【発明の実施の形態】
以下、この発明の実施の一形態を説明する。
実施の形態１．
図１はこの発明の実施の形態による音声伝送装置の構成を示すものであり、図において、８は音声伝送装置の入力端子、９は音声伝送装置の出力端子、１０は入力した音声信号に対して音声符号化処理を行う音声符号化部（音声符号化処理手段）、１１は入力したＤＴＭＦ信号に対して符号化処理を行うＤＴＭＦ符号化部（ＤＴＭＦ符号化処理手段）、２０は入力した音声信号およびＤＴＭＦ信号の符号化処理を行う音声／ＤＴＭＦ符号化部（音声／ＤＴＭＦ符号化処理手段）である。１２は入力した信号がＤＴＭＦ信号であるか否かを検出・判定するＤＴＭＦ検出部（ＤＴＭＦ検出手段）である。２３は入力信号や伝送路の品質、自装置の輻輳あるいは呼接続等の状態を監視して、その状態に応じてＤＴＭＦ信号の伝送にＤＴＭＦ符号化部１１および音声／ＤＴＭＦ符号化部２０のいずれを用いるかを選択制御する制御信号を出力するＤＴＭＦ伝送制御部（ＤＴＭＦ伝送制御処理手段）である。２４はＤＴＭＦ伝送制御部２３からの指示によりＤＴＭＦ符号化部１１の出力または音声／ＤＴＭＦ符号化部２０の出力を選択して出力するセレクタ（第１のセレクタ）である。１３はＤＴＭＦ検出部１２からの指示により音声符号化部１０の出力またはセレクタ２４からの出力を選択出力するセレクタ（第２のセレクタ）である。
【００３７】
次に動作について説明する。
入力端子８から信号が入力されると、音声符号化部１０において音声信号が音声符号化処理される。また、ＤＴＭＦ符号化部１１では、ＤＴＭＦの音声信号がＤＴＭＦの数値にデコード処理され、音声／ＤＴＭＦ符号化部２０ではＤＴＭＦの音声信号が音声信号として音声符号化処理される。ＤＴＭＦ伝送制御部２３は、入力信号や伝送路の品質、自装置の輻輳あるいは呼接続等の状態を監視して、検出したその状態に応じてＤＴＭＦ符号化部１１の出力または音声／ＤＴＭＦ符号化部２０の出力を適切に選択するようにセレクタ２４を制御する。入力信号がＤＴＭＦ検出部１２においてＤＴＭＦ信号ではないと判定された場合、セレクタ１３にて音声符号化部１０の出力が選択され、音声符号化部１０において音声符号化処理された信号が伝送路側の出力端子９に出力される。また、ＤＴＭＦ検出部１２において、入力信号がＤＴＭＦ信号であると判定された場合、セレクタ１３にてセレクタ２４の出力が選択される。すなわち、ＤＴＭＦ符号化部１１において符号化処理されたＤＴＭＦ信号または音声／ＤＴＭＦ符号化部２０において音声符号化処理されたＤＴＭＦ信号が伝送路側の出力端子９に出力される。
【００３８】
なお、音声／ＤＴＭＦ符号化部２０として、符号化速度は音声符号化部１０よりも高いが、ＤＴＭＦも音声も伝送可能な符号化処理手段を用いてもよい。
また、音声／ＤＴＭＦ符号化部２０として、符号化速度は音声符号化部と同じであるが、ＤＴＭＦ信号に特化した符号化アルゴリズムを持ち、音声品質としては音声符号化部より劣るがＤＴＭＦ信号の伝送可能な符号化処理手段を用いても良い。
【００３９】
以上のように、この実施の形態１によれば、ＤＴＭＦ伝送手段を適切に選択制御できるようにしたので、通話中にＤＴＭＦ信号を誤検出した場合でも通話者に対して不快感を与えることなく、かつ、真にＤＴＭＦが伝送される場合でも確実にＤＴＭＦ信号を伝送することを可能とする高品質な伝送を実現できる効果が得られる。
【００４０】
実施の形態２．
図２はこの発明の実施の形態２による音声伝送装置を示すものであり、図において、８は音声伝送装置の入力端子、９は音声伝送装置の出力端子、１０は音声信号の音声符号化処理を行う音声符号化部（音声符号化処理手段）である。１１はＤＴＭＦ信号の符号化処理を行うＤＴＭＦ符号化部（ＤＴＭＦ符号化処理手段）、２１は音声信号およびＤＴＭＦ信号の符号化処理を行う第１の音声／ＤＴＭＦ符号化部（第１の音声／ＤＴＭＦ符号化処理手段）、２２は音声信号およびＤＴＭＦ信号の符号化処理を行う第２の音声／ＤＴＭＦ符号化部（第２の音声／ＤＴＭＦ符号化処理手段）である。ここで、第２の音声／ＤＴＭＦ符号化部２２は第１の音声／ＤＴＭＦ符号化部２１よりも符号化速度が高く高品質な符号化データを出力する符号化部とする。１２は入力された信号がＤＴＭＦ信号であるか否かを検出・判定するＤＴＭＦ検出部である。２３は入力信号や伝送路の品質、自装置の輻輳あるいは呼接続等の状態を監視して、その状態に応じてＤＴＭＦ信号の伝送にＤＴＭＦ符号化部１１、第１の音声／ＤＴＭＦ符号化部２１および第２の音声／ＤＴＭＦ符号化部２２のいずれを用いるかを選択制御するＤＴＭＦ伝送制御部（ＤＴＭＦ伝送制御処理手段）である。２５はＤＴＭＦ伝送制御部２３からの指示によりＤＴＭＦ符号化部１１の出力、第１の音声／ＤＴＭＦ符号化部２１の出力および第２の音声／ＤＴＭＦ符号化部２２の出力のいずれかを選択して出力するセレクタ（第１のセレクタ）である。１３はＤＴＭＦ検出部１２からの指示により音声符号化部１０の出力またはセレクタ２５の出力を選択するセレクタ（第２のセレクタ）である。
【００４１】
次に動作について説明する。
入力端子８に信号が入力されると、音声符号化部１０において音声信号が音声符号化処理される。また、ＤＴＭＦ符号化部１１では、ＤＴＭＦの音声信号はＤＴＭＦの数値にデコード処理され、さらに第１の音声／ＤＴＭＦ符号化部２１および第２の音声／ＤＴＭＦ符号化部２２では、ＤＴＭＦの音声信号が音声信号として音声符号化処理される。ＤＴＭＦ伝送制御部２３は、入力信号や伝送路の品質、自装置の輻輳あるいは呼接続等の状態を監視して、検出したその状態に応じて適切にＤＴＭＦ符号化部１１の出力、第１の音声／ＤＴＭＦ符号化部２１の出力および第２の音声／ＤＴＭＦ符号化部２２の出力のうちからいずれかを適切に選択するようにセレクタ２５を制御する。一方、ＤＴＭＦ検出部１２において、入力信号がＤＴＭＦ信号ではないと判定された場合、セレクタ１３にて音声符号化部１０の出力が選択され、音声符号化部１０において音声符号化処理された信号が伝送路側（出力端子）９に出力される。また、ＤＴＭＦ検出部１２において、入力信号がＤＴＭＦ信号であると判定された場合、セレクタ１３にてセレクタ２５のＤＴＭＦ信号出力が選択され伝送路側（出力端子）９に出力される。すなわち、このときのＤＴＭＦ信号出力は、ＤＴＭＦ符号化部１１において符号化処理されたＤＴＭＦ信号、第１の音声／ＤＴＭＦ符号化部２１において音声符号化処理されたＤＴＭＦ信号および第２の音声／ＤＴＭＦ符号化部２２において音声符号化処理されたＤＴＭＦ信号のいずれかとなる。
【００４２】
以上のように、この実施の形態２によれば、ＤＴＭＦ伝送手段を適切に選択制御することで通話中にＤＴＭＦ信号を誤検出した場合でも通話者に対して不快感を与えることなく、かつ、真にＤＴＭＦが伝送される場合でも確実にＤＴＭＦ信号を伝送可能とする高品質な伝送を実現できる効果が得られる。
【００４３】
実施の形態３．
図３はこの発明の実施の形態３による音声伝送装置を示す構成図である。図において、８は音声伝送装置の入力端子、９は音声伝送装置の出力端子、１０は音声信号の音声符号化処理を行う音声符号化部、１１はＤＴＭＦ信号の符号化処理を行うＤＴＭＦ符号化部である。２０は入力した音声信号およびＤＴＭＦ信号の符号化処理を行う音声／ＤＴＭＦ符号化部、１２は入力された信号がＤＴＭＦ信号であるか否かを検出・判定するＤＴＭＦ検出部である。３１は呼の接続状態を監視してＤＴＭＦ信号の伝送にＤＴＭＦ符号化部１１および音声／ＤＴＭＦ符号化部２０のいずれを用いるかを選択制御する制御信号を出力する呼接続状態監視部（呼接続状態監視制御手段）である。２４は呼接続状態監視部３１からの指示によりＤＴＭＦ符号化部１１の出力または音声／ＤＴＭＦ符号化部２０の出力を選択して出力するセレクタ、１３はＤＴＭＦ検出部１２からの指示により音声符号化部１０の出力またはセレクタ２４の出力を選択出力するセレクタである。
【００４４】
次に動作について説明する。
入力端子８から信号が入力されると、音声符号化部１０において音声信号が音声符号化処理される。また、ＤＴＭＦ符号化部１１では、ＤＴＭＦの音声信号がＤＴＭＦの数値にデコード処理され、音声／ＤＴＭＦ符号化部２０ではＤＴＭＦの音声信号が音声信号として音声符号化処理される。呼接続状態監視部３１は、呼の接続状態を監視して通話が開始される前の呼の接続シーケンス中であればＤＴＭＦ符号化部１１の出力を選択するよう、また呼の接続シーケンスが完了して通話中であれば音声／ＤＴＭＦ符号化部２０の出力を選択するようセレクタ２４を制御する。一方、入力信号がＤＴＭＦ検出部１２においてＤＴＭＦ信号ではないと判定された場合、セレクタ１３にて音声符号化部１０の出力が選択され、音声符号化部１０において音声符号化処理された信号が伝送路側の出力端子９に出力される。また、ＤＴＭＦ検出部１２において、入力信号がＤＴＭＦ信号であると判定された場合、セレクタ１３にてセレクタ２４の出力が選択される。すなわち、ＤＴＭＦ符号化部１１において符号化処理されたＤＴＭＦ信号または音声／ＤＴＭＦ符号化部２０において音声符号化処理されたＤＴＭＦ信号が伝送路側の出力端子９に出力される。
【００４５】
以上のように、この実施の形態３によれば、実施の形態１のＤＴＭＦ伝送制御部２３として呼接続状態監視部３１を用い、通話中には音声／ＤＴＭＦ符号化部２０を選択することでＤＴＭＦ信号を誤検出した場合でもＤＴＭＦ信号は音声信号と同様に伝送されるため、通話者に対して不快感を与えることなく、かつ、呼接続シーケンス中に真にＤＴＭＦが伝送される場合にはＤＴＭＦ符号化部１１を選択しＤＴＭＦ信号をデコード伝送するため、確実にＤＴＭＦ信号を伝送する高品質な伝送を実現できる効果が得られる。
【００４６】
実施の形態４．
図４はこの発明の実施の形態４による音声伝送装置の構成を示すものであり、図において、８は音声伝送装置の入力端子、９は音声伝送装置の出力端子、１０は音声信号の音声符号化処理を行う音声符号化部、１１はＤＴＭＦ信号の符号化処理を行うＤＴＭＦ符号化部である。２０は入力した音声信号およびＤＴＭＦ信号の符号化処理を行う音声／ＤＴＭＦ符号化部、１２は入力された信号がＤＴＭＦ信号であるか否かを検出・判定するＤＴＭＦ検出部である。３２は送信側シグナリング信号であるＳＳシグナリング情報を監視してＤＴＭＦ信号の伝送にＤＴＭＦ符号化部１１および音声／ＤＴＭＦ符号化部２０のいずれを用いるかを選択制御する制御信号を出力するＳＳ状態監視部（ＳＳ状態監視制御手段）である。２４はＳＳ状態監視部３２からの指示によりＤＴＭＦ符号化部１１の出力または音声／ＤＴＭＦ符号化部２０の出力を選択して出力するセレクタ、１３はＤＴＭＦ検出部１２からの指示により音声符号化部１０の出力またはセレクタ２４の出力を選択出力するセレクタである。
【００４７】
次に動作について説明する。
入力端子８から信号が入力されると、音声符号化部１０において音声信号が音声符号化処理される。また、ＤＴＭＦ符号化部１１では、ＤＴＭＦの音声信号がＤＴＭＦの数値にデコード処理され、音声／ＤＴＭＦ符号化部２０ではＤＴＭＦの音声信号が音声信号として音声符号化処理される。ＳＳ状態監視部３２は、ＳＳシグナリング情報を監視して、ＳＳシグナリング情報がＯＮとなってから一定の時間は、通話が開始前の呼の接続シーケンス中と判断してＤＴＭＦ符号化部１１の出力を選択するようにセレクタ２４を制御する。またＳＳシグナリング情報がＯＮとなってから一定時間後は、呼の接続シーケンスが完了し通話中であると判断して音声／ＤＴＭＦ符号化部２０の出力を選択するようセレクタ２４を制御する。一方、入力信号がＤＴＭＦ検出部１２においてＤＴＭＦ信号ではないと判定された場合、セレクタ１３にて音声符号化部１０の出力が選択され、音声符号化部１０において音声符号化処理された信号が伝送路側の出力端子９に出力される。また、ＤＴＭＦ検出部１２において、入力信号がＤＴＭＦ信号であると判定された場合、セレクタ１３にてセレクタ２４の出力が選択される。すなわち、ＤＴＭＦ符号化部１１において符号化処理されたＤＴＭＦ信号または音声／ＤＴＭＦ符号化部２０において音声符号化処理されたＤＴＭＦ信号が伝送路側の出力端子９に出力される。
【００４８】
以上のように、この実施の形態４によれば、実施の形態３の呼接続状態監視部３１としてＳＳ状態監視部３２を用い、通話中には音声／ＤＴＭＦ符号化部２０を選択制御することでＤＴＭＦ信号を誤検出した場合でも、ＤＴＭＦ信号は音声信号と同様に伝送されるため通話者に対して不快感を与えることなく、かつ、呼接続シーケンス中の真にＤＴＭＦが伝送される場合には、ＤＴＭＦ符号化部１１を選択制御することでＤＴＭＦ信号をデコード伝送するので、確実にＤＴＭＦ信号を伝送する高品質な伝送を実現できる効果が得られる。
【００４９】
実施の形態５．
図５はこの発明の実施の形態５による音声伝送装置の構成を示すものであり、図において、８は音声伝送装置の入力端子、９は音声伝送装置の出力端子、１０は音声信号の音声符号化処理を行う音声符号化部、１１はＤＴＭＦ信号の符号化処理を行うＤＴＭＦ符号化部である。２０は入力した音声信号およびＤＴＭＦ信号の符号化処理を行う音声／ＤＴＭＦ符号化部、１２は入力された信号がＤＴＭＦ信号であるか否かを検出・判定するＤＴＭＦ検出部である。３３は受信側シグナリング信号であるＳＲシグナリング情報を監視してＤＴＭＦ信号の伝送にＤＴＭＦ符号化部１１および音声／ＤＴＭＦ符号化部２０のいずれを用いるかを選択制御する制御信号を出力するＳＲ状態監視部（ＳＲ状態監視制御手段）、２４はＳＲ状態監視部３３からの指示によりＤＴＭＦ符号化部１１の出力または音声／ＤＴＭＦ符号化部２０の出力を選択して出力するセレクタ、１３はＤＴＭＦ検出部１２からの指示により音声符号化部１０の出力またはセレクタ２４の出力を選択出力するセレクタである。
【００５０】
次に動作について説明する。
入力端子８から信号が入力されると、音声符号化部１０において音声信号が音声符号化処理される。また、ＤＴＭＦ符号化部１１では、ＤＴＭＦの音声信号がＤＴＭＦの数値にデコード処理され、音声／ＤＴＭＦ符号化部２０ではＤＴＭＦの音声信号が音声信号として音声符号化処理される。ＳＲ状態監視部３３は、ＳＲシグナリング情報を監視してＳＲシグナリング情報がＯＦＦとなっている時は、呼が接続されていないか通話が開始前の呼の接続シーケンス中と判断してＤＴＭＦ符号化部１１の出力を選択するようにセレクタ２４を制御する。またＳＲシグナリング情報がＯＮとなっている時は、呼の接続シーケンスが完了して通話中であると判断して音声／ＤＴＭＦ符号化部２０の出力を選択するようセレクタ２４を制御する。一方、入力信号がＤＴＭＦ検出部１２においてＤＴＭＦ信号ではないと判定された場合、セレクタ１３にて音声符号化部１０の出力が選択され、音声符号化部１０において音声符号化処理された信号が伝送路側の出力端子９に出力される。また、ＤＴＭＦ検出部１２において、入力信号がＤＴＭＦ信号であると判定された場合、セレクタ１３にてセレクタ２４の出力が選択される。すなわち、ＤＴＭＦ符号化部１１において符号化処理されたＤＴＭＦ信号または音声／ＤＴＭＦ符号化部２０において音声符号化処理されたＤＴＭＦ信号が伝送路側の出力端子９に出力される。
【００５１】
以上のように、この実施の形態５によれば、実施の形態３の呼接続状態監視部３１としてＳＲ状態監視部３３を用い、通話中には音声／ＤＴＭＦ符号化部２０を選択制御することでＤＴＭＦ信号を誤検出した場合でもＤＴＭＦ信号は音声信号と同様に伝送されるため通話者に対して不快感を与えることなく、かつ、呼接続シーケンス中の真にＤＴＭＦが伝送される場合には、ＤＴＭＦ符号化部１１を選択制御することでＤＴＭＦ信号をデコード伝送するので、確実にＤＴＭＦ信号を伝送することができる高品質な伝送を実現できる効果が得られる。
【００５２】
実施の形態６．
図６はこの発明の実施の形態６による音声伝送装置の構成を示すものであり、図において、８は音声伝送装置の入力端子、９は音声伝送装置の出力端子、１０は音声信号の音声符号化処理を行う音声符号化部、１１はＤＴＭＦ信号の符号化処理を行うＤＴＭＦ符号化部である。２０は入力した音声信号およびＤＴＭＦ信号の符号化処理を行う音声／ＤＴＭＦ符号化部、１２は入力された信号がＤＴＭＦ信号であるか否かを検出・判定するＤＴＭＦ検出部である。３４は共通線シグナリング信号であるＳＳ７シグナリング情報を監視してＤＴＭＦ信号の伝送にＤＴＭＦ符号化部１１および音声／ＤＴＭＦ符号化部２０のいずれを用いるかを選択制御する制御信号を出力するＳＳ７状態監視部（ＳＳ７状態監視制御手段）である。２４はＳＳ７状態監視部３４からの指示によりＤＴＭＦ符号化部１１の出力または音声／ＤＴＭＦ符号化部２０の出力を選択して出力するセレクタ、１３はＤＴＭＦ検出部１２からの指示により音声符号化部１０の出力またはセレクタ２４の出力を選択し出力するセレクタである。
【００５３】
次に動作について説明する。
入力端子８から信号が入力されると、音声符号化部１０において音声信号が音声符号化処理される。また、ＤＴＭＦ符号化部１１では、ＤＴＭＦの音声信号がＤＴＭＦの数値にデコード処理され、音声／ＤＴＭＦ符号化部２０ではＤＴＭＦの音声信号が音声信号として音声符号化処理される。ＳＳ７状態監視部３４は、ＳＳ７シグナリング情報を監視して通話が開始前の呼の接続シーケンス中と判断すれば、ＤＴＭＦ符号化部１１の出力を選択するようにセレクタ２４を制御する。また呼の接続シーケンスが完了して通話中であると判断すれば音声／ＤＴＭＦ符号化部２０の出力を選択するようセレクタ２４を制御する。一方、入力信号がＤＴＭＦ検出部１２においてＤＴＭＦ信号ではないと判定された場合、セレクタ１３にて音声符号化部１０の出力が選択され、音声符号化部１０において音声符号化処理された信号が伝送路側の出力端子９に出力される。また、ＤＴＭＦ検出部１２において、入力信号がＤＴＭＦ信号であると判定された場合、セレクタ１３にてセレクタ２４の出力が選択される。すなわち、ＤＴＭＦ符号化部１１において符号化処理されたＤＴＭＦ信号または音声／ＤＴＭＦ符号化部２０において音声符号化処理されたＤＴＭＦ信号が伝送路側の出力端子９に出力される。
【００５４】
以上のように、この実施の形態６によれば、実施の形態３の呼接続状態監視部３１としてＳＳ７状態監視部３４を用いたので、通話中には音声／ＤＴＭＦ符号化部２０を選択制御することでＤＴＭＦ信号を誤検出した場合でもＤＴＭＦ信号は音声信号と同様に伝送されるため通話者に対して不快感を与えることなく、かつ、呼接続シーケンス中の真にＤＴＭＦが伝送される場合にはＤＴＭＦ符号化部１１を選択制御することでＤＴＭＦ信号をデコード伝送し、確実にＤＴＭＦ信号を伝送する高品質な伝送システムを実現できる効果が得られる。
【００５５】
実施の形態７．
図７はこの発明の実施の形態７による音声伝送装置の構成を示すものであり、図において、８は音声伝送装置の入力端子、９は音声伝送装置の出力端子、１０は音声信号の音声符号化処理を行う音声符号化部、１１はＤＴＭＦ信号の符号化処理を行うＤＴＭＦ符号化部である。２０は入力した音声信号およびＤＴＭＦ信号の符号化処理を行う音声／ＤＴＭＦ符号化部、１２は入力された信号がＤＴＭＦ信号であるか否かを検出・判定するＤＴＭＦ検出部である。４１は入力される音声信号やＤＴＭＦ信号の品質を監視してＤＴＭＦ信号の伝送にＤＴＭＦ符号化部１１および音声／ＤＴＭＦ符号化部２０のいずれを用いるかを選択制御する制御信号を出力する入力信号品質監視部（入力信号品質監視制御手段）である。２４は入力信号品質監視部４１からの指示によりＤＴＭＦ符号化部１１の出力または音声／ＤＴＭＦ符号化部２０の出力を選択して出力するセレクタ、１３はＤＴＭＦ検出部１２からの指示により音声符号化部１０の出力またはセレクタ２４の出力を選択出力するセレクタである。
【００５６】
次に動作について説明する。
入力端子８から信号が入力されると、音声符号化部１０において音声信号が音声符号化処理される。また、ＤＴＭＦ符号化部１１では、ＤＴＭＦの音声信号がＤＴＭＦの数値にデコード処理され、音声／ＤＴＭＦ符号化部２０ではＤＴＭＦの音声信号が音声信号として音声符号化処理される。入力信号品質監視部４１は、入力される音声信号やＤＴＭＦ信号の品質を監視して品質がある閾値よりも良ければＤＴＭＦの誤検出は少ないと判断してＤＴＭＦ符号化部１１の出力を選択するようにセレクタ２４を制御する。また品質がある閾値よりも悪ければＤＴＭＦの誤検出は多いと判断して音声／ＤＴＭＦ符号化部２０の出力を選択するようセレクタ２４を制御する。一方、入力信号がＤＴＭＦ検出部１２においてＤＴＭＦ信号ではないと判定された場合、セレクタ１３にて音声符号化部１０の出力が選択され、音声符号化部１０において音声符号化処理された信号が伝送路側の出力端子９に出力される。また、ＤＴＭＦ検出部１２において、入力信号がＤＴＭＦ信号であると判定された場合、セレクタ１３にてセレクタ２４の出力が選択される。すなわち、ＤＴＭＦ符号化部１１において符号化処理されたＤＴＭＦ信号または音声／ＤＴＭＦ符号化部２０において音声符号化処理されたＤＴＭＦ信号が伝送路側の出力端子９に出力される。
【００５７】
以上のように、この実施の形態７によれば、実施の形態１のＤＴＭＦ伝送制御部２３として入力信号品質監視部４１を用いたので、ＤＴＭＦの誤検出の可能性が高い場合には音声／ＤＴＭＦ符号化部２０を選択制御することでＤＴＭＦ信号を誤検出した場合でもＤＴＭＦ信号は音声信号と同様に伝送され、通話者に対して不快感を与えることなく、かつ、確実にＤＴＭＦ信号を伝送する高品質な伝送システムを実現できる効果が得られる。
【００５８】
実施の形態８．
図８はこの発明の実施の形態８による音声伝送装置の構成を示すものであり、図において、８は音声伝送装置の入力端子、９は音声伝送装置の出力端子、１０は音声信号の音声符号化処理を行う音声符号化部、１１はＤＴＭＦ信号の符号化処理を行うＤＴＭＦ符号化部である。２０は入力した音声信号およびＤＴＭＦ信号の符号化処理を行う音声／ＤＴＭＦ符号化部、１２は入力された信号がＤＴＭＦ信号であるか否かを検出・判定するＤＴＭＦ検出部である。４２は入力される音声信号やＤＴＭＦ信号のＳＮ比を監視して、そのＳＮ比に応じてＤＴＭＦ信号の伝送にＤＴＭＦ符号化部１１および音声／ＤＴＭＦ符号化部２０のいずれを用いるかを選択制御するＳＮ比監視部（ＳＮ比監視制御手段）である。２４はＳＮ比監視部４２からの指示によりＤＴＭＦ符号化部１１の出力または音声／ＤＴＭＦ符号化部２０の出力を選択して出力するセレクタ、１３はＤＴＭＦ検出部１２からの指示により音声符号化部１０の出力またはセレクタ２４の出力を選択出力するセレクタである。
【００５９】
次に動作について説明する。
入力端子８から信号が入力されると、音声符号化部１０において音声信号が音声符号化処理される。また、ＤＴＭＦ符号化部１１では、ＤＴＭＦの音声信号がＤＴＭＦの数値にデコード処理され、音声／ＤＴＭＦ符号化部２０ではＤＴＭＦの音声信号が音声信号として音声符号化処理される。ＳＮ比監視部４２は、入力される音声信号やＤＴＭＦ信号のＳＮ比を監視して、ＳＮ比がある閾値よりも良ければＤＴＭＦの誤検出は少ないと判断してＤＴＭＦ符号化部１１の出力を選択するようにセレクタ２４を制御する。またＳＮ比がある閾値よりも悪ければＤＴＭＦの誤検出は多いと判断して音声／ＤＴＭＦ符号化部２０の出力を選択するようセレクタ２４を制御する。一方、入力信号がＤＴＭＦ検出部１２においてＤＴＭＦ信号ではないと判定された場合、セレクタ１３にて音声符号化部１０の出力が選択され、音声符号化部１０において音声符号化処理された信号が伝送路側の出力端子９に出力される。また、ＤＴＭＦ検出部１２において、入力信号がＤＴＭＦ信号であると判定された場合、セレクタ１３にてセレクタ２４の出力が選択される。すなわち、ＤＴＭＦ符号化部１１において符号化処理されたＤＴＭＦ信号または音声／ＤＴＭＦ符号化部２０において音声符号化処理されたＤＴＭＦ信号が伝送路側の出力端子９に出力される。
【００６０】
以上のように、この実施の形態８によれば、実施の形態７の入力信号品質監視部４１としてＳＮ比監視部４２を用いたので、ＤＴＭＦの誤検出の可能性が高い場合には音声／ＤＴＭＦ符号化部２０を選択制御することで、ＤＴＭＦ信号を誤検出した場合でもＤＴＭＦ信号は音声信号と同様に伝送され通話者に対して不快感を与えることなく、かつ、確実にＤＴＭＦ信号を伝送するので高品質な伝送システムを実現できる効果が得られる。
【００６１】
実施の形態９．
図９はこの発明の実施の形態９による音声伝送装置の構成を示すものであり、図において、８は音声伝送装置の入力端子、９は音声伝送装置の出力端子、１０は音声信号の音声符号化処理を行う音声符号化部、１１はＤＴＭＦ信号の符号化処理を行うＤＴＭＦ符号化部である。２０は入力した音声信号およびＤＴＭＦ信号の符号化処理を行う音声／ＤＴＭＦ符号化部、１２は入力された信号がＤＴＭＦ信号であるか否かを検出・判定するＤＴＭＦ検出部である。４３は入力されるＤＴＭＦ信号のツイスト歪みを監視してＤＴＭＦ信号の伝送にＤＴＭＦ符号化部１１および音声／ＤＴＭＦ符号化部２０のいずれを用いるかを選択制御する制御信号を出力するツイスト歪み監視部（ツイスト歪み監視制御手段）である。２４はツイスト歪み監視部４３からの指示によりＤＴＭＦ符号化部１１の出力または音声／ＤＴＭＦ符号化部２０の出力を選択して出力するセレクタ、１３はＤＴＭＦ検出部１２からの指示により音声符号化部１０の出力またはセレクタ２４の出力を選択出力するセレクタである。
【００６２】
次に動作について説明する。
入力端子８から信号が入力されると、音声符号化部１０において音声信号が音声符号化処理される。また、ＤＴＭＦ符号化部１１では、ＤＴＭＦの音声信号がＤＴＭＦの数値にデコード処理され、音声／ＤＴＭＦ符号化部２０ではＤＴＭＦの音声信号が音声信号として音声符号化処理される。ツイスト歪み監視部４３は、入力されるＤＴＭＦ信号のツイスト歪みを監視して、ツイスト歪みがある閾値よりも良ければＤＴＭＦの誤検出は少ないと判断してＤＴＭＦ符号化部１１の出力を選択するようにセレクタ２４を制御する。またツイスト歪みがある閾値よりも悪ければＤＴＭＦの誤検出は多いと判断して音声／ＤＴＭＦ符号化部２０の出力を選択するようセレクタ２４を制御する。一方、入力信号がＤＴＭＦ検出部１２においてＤＴＭＦ信号ではないと判定された場合、セレクタ１３にて音声符号化部１０の出力が選択され、音声符号化部１０において音声符号化処理された信号が伝送路側の出力端子９に出力される。また、ＤＴＭＦ検出部１２において、入力信号がＤＴＭＦ信号であると判定された場合、セレクタ１３にてセレクタ２４の出力が選択される。すなわち、ＤＴＭＦ符号化部１１において符号化処理されたＤＴＭＦ信号または音声／ＤＴＭＦ符号化部２０において音声符号化処理されたＤＴＭＦ信号が伝送路側の出力端子９に出力される。
【００６３】
以上のように、この実施の形態９によれば、実施の形態７の入力信号品質監視部４１としてツイスト歪み監視部４３を用いたので、ＤＴＭＦの誤検出の可能性が高い場合には音声／ＤＴＭＦ符号化部２０を選択制御することで、ＤＴＭＦ信号を誤検出した場合でもＤＴＭＦ信号は音声信号と同様に伝送され、通話者に対して不快感を与えることなく、かつ、確実にＤＴＭＦ信号を伝送するので高品質な伝送システムを実現できる効果が得られる。
【００６４】
実施の形態１０．
図１０はこの発明の実施の形態１０による音声伝送装置の構成を示すものであり、図において、８は音声伝送装置の入力端子、９は音声伝送装置の出力端子、１０は音声信号の音声符号化処理を行う音声符号化部、１１はＤＴＭＦ信号の符号化処理を行うＤＴＭＦ符号化部である。２０は入力した音声信号およびＤＴＭＦ信号の符号化処理を行う音声／ＤＴＭＦ符号化部、１２は入力された信号がＤＴＭＦ信号であるか否かを検出・判定するＤＴＭＦ検出部である。４４は入力される音声信号やＤＴＭＦ信号の信号パワーを監視して、ＤＴＭＦ信号の伝送にＤＴＭＦ符号化部１１および音声／ＤＴＭＦ符号化部２０のいずれを用いるかを選択制御する制御信号を出力する信号パワー監視部（信号パワー監視制御手段）である。２４は信号パワー監視部４４からの指示によりＤＴＭＦ符号化部１１の出力または音声／ＤＴＭＦ符号化部２０の出力を選択して出力するセレクタ、１３はＤＴＭＦ検出部１２からの指示により音声符号化部１０の出力またはセレクタ２４の出力を選択出力するセレクタである。
【００６５】
次に動作について説明する。
入力端子８から信号が入力されると、音声符号化部１０において音声信号が音声符号化処理される。また、ＤＴＭＦ符号化部１１では、ＤＴＭＦの音声信号がＤＴＭＦの数値にデコード処理され、音声／ＤＴＭＦ符号化部２０ではＤＴＭＦの音声信号が音声信号として音声符号化処理される。信号パワー監視部４４は、入力される音声信号やＤＴＭＦ信号の信号パワーを監視して、信号パワーがある閾値よりも高ければＤＴＭＦの誤検出は少ないと判断してＤＴＭＦ符号化部１１の出力を選択するようにセレクタ２４を制御する。また信号パワーがある閾値よりも低ければＤＴＭＦの誤検出は多いと判断して音声／ＤＴＭＦ符号化部２０の出力を選択するようセレクタ２４を制御する。一方、入力信号がＤＴＭＦ検出部１２においてＤＴＭＦ信号ではないと判定された場合、セレクタ１３にて音声符号化部１０の出力が選択され、音声符号化部１０において音声符号化処理された信号が伝送路側の出力端子９に出力される。また、ＤＴＭＦ検出部１２において、入力信号がＤＴＭＦ信号であると判定された場合、セレクタ１３にてセレクタ２４の出力が選択される。すなわち、ＤＴＭＦ符号化部１１において符号化処理されたＤＴＭＦ信号または音声／ＤＴＭＦ符号化部２０において音声符号化処理されたＤＴＭＦ信号が伝送路側の出力端子９に出力される。
【００６６】
以上のように、この実施の形態１０によれば、実施の形態７の入力信号品質監視部４１として信号パワー監視部４４を用いたので、ＤＴＭＦの誤検出の可能性が高い場合には音声／ＤＴＭＦ符号化部２０を選択制御することで、ＤＴＭＦ信号を誤検出した場合でもＤＴＭＦ信号は音声信号と同様に伝送され、通話者に対して不快感を与えることなく、かつ、確実にＤＴＭＦ信号を伝送するので高品質な伝送システムを実現できる効果が得られる。
【００６７】
実施の形態１１．
図１１はこの発明の実施の形態１１による音声伝送装置の構成を示すものであり、図において、８は音声伝送装置の入力端子、９は音声伝送装置の出力端子、１０は音声信号の音声符号化処理を行う音声符号化部、１１はＤＴＭＦ信号の符号化処理を行うＤＴＭＦ符号化部である。２０は入力した音声信号およびＤＴＭＦ信号の符号化処理を行う音声／ＤＴＭＦ符号化部、１２は入力された信号がＤＴＭＦ信号であるか否かを検出・判定するＤＴＭＦ検出部である。５１は伝送路回線の伝送品質を監視してＤＴＭＦ信号の伝送にＤＴＭＦ符号化部１１および音声／ＤＴＭＦ符号化部２０のいずれを用いるかを選択制御する制御信号を出力する伝送路品質監視部である。２４は伝送路品質監視部５１からの指示によりＤＴＭＦ符号化部１１の出力または音声／ＤＴＭＦ符号化部２０の出力を選択して出力するセレクタ、１３はＤＴＭＦ検出部１２からの指示により音声符号化部１０の出力またはセレクタ２４の出力を選択出力するセレクタである。
【００６８】
次に動作について説明する。
入力端子８から信号が入力されると、音声符号化部１０において音声信号が音声符号化処理される。また、ＤＴＭＦ符号化部１１では、ＤＴＭＦの音声信号がＤＴＭＦの数値にデコード処理され、音声／ＤＴＭＦ符号化部２０ではＤＴＭＦの音声信号が音声信号として音声符号化処理される。伝送路品質監視部５１は、伝送路回線の伝送品質を監視して伝送路品質がある閾値よりも低ければ伝送路上の誤り耐性がより強いＤＴＭＦ符号化部１１の出力を選択するようにセレクタ２４を制御する。また伝送路品質がある閾値よりも高ければＤＴＭＦ信号の誤検出にも通話者に対して不快感を与えることの無い音声／ＤＴＭＦ符号化部２０の出力を選択するようセレクタ２４を制御する。一方、入力信号がＤＴＭＦ検出部１２においてＤＴＭＦ信号ではないと判定された場合、セレクタ１３にて音声符号化部１０の出力が選択され、音声符号化部１０において音声符号化処理された信号が伝送路側の出力端子９に出力される。また、ＤＴＭＦ検出部１２において、入力信号がＤＴＭＦ信号であると判定された場合、セレクタ１３にてセレクタ２４の出力が選択される。すなわち、ＤＴＭＦ符号化部１１において符号化処理されたＤＴＭＦ信号または音声／ＤＴＭＦ符号化部２０において音声符号化処理されたＤＴＭＦ信号が伝送路側の出力端子９に出力される。
【００６９】
以上のように、この実施の形態１１によれば、実施の形態１のＤＴＭＦ伝送制御部２３として伝送路品質監視部５１を用いたので、伝送路上での伝送誤りの可能性が高い場合にはＤＴＭＦ符号化部１１を選択することで確実にＤＴＭＦ信号を伝送することができる高品質な伝送を実現できる。また伝送路上での伝送誤りの可能性が低い場合には音声／ＤＴＭＦ符号化部２０を選択制御することでＤＴＭＦ信号を誤検出した場合でもＤＴＭＦ信号は音声信号と同様に伝送されるため、通話者に対して不快感を与えることの無い高品質な伝送を実現できる効果が得られる。
【００７０】
実施の形態１２．
図１２はこの発明の実施の形態１２による音声伝送装置の構成を示すものであり、図において、８は音声伝送装置の入力端子、９は音声伝送装置の出力端子、１０は音声信号の音声符号化処理を行う音声符号化部、１１はＤＴＭＦ信号の符号化処理を行うＤＴＭＦ符号化部である。２０は入力した音声信号およびＤＴＭＦ信号の符号化処理を行う音声／ＤＴＭＦ符号化部、１２は入力された信号がＤＴＭＦ信号であるか否かを検出・判定するＤＴＭＦ検出部である。５２は伝送路回線のデータ誤り率を監視して、ＤＴＭＦ信号の伝送にＤＴＭＦ符号化部１１および音声／ＤＴＭＦ符号化部２０のいずれを用いるかを選択制御する制御信号を出力するデータ誤り率監視部（データ誤り率監視制御手段）である。２４はデータ誤り率監視部５２からの指示によりＤＴＭＦ符号化部１１の出力または音声／ＤＴＭＦ符号化部２０の出力を選択して出力するセレクタ、１３はＤＴＭＦ検出部１２からの指示により音声符号化部１０の出力またはセレクタ２４の出力を選択出力するセレクタである。
【００７１】
次に動作について説明する。
入力端子８から信号が入力されると、音声符号化部１０において音声信号が音声符号化処理される。また、ＤＴＭＦ符号化部１１では、ＤＴＭＦの音声信号がＤＴＭＦの数値にデコード処理され、音声／ＤＴＭＦ符号化部２０ではＤＴＭＦの音声信号が音声信号として音声符号化処理される。データ誤り率監視部５２は、伝送路回線のデータ誤り率を監視して、データ誤り率がある閾値よりも高ければ伝送路上の誤り耐性がより強いＤＴＭＦ符号化部１１の出力を選択するようにセレクタ２４を制御する。またデータ誤り率がある閾値よりも低ければＤＴＭＦ信号の誤検出にも通話者に対して不快感を与えることの無い音声／ＤＴＭＦ符号化部２０の出力を選択するようにセレクタ２４を制御する。一方、入力信号がＤＴＭＦ検出部１２においてＤＴＭＦ信号ではないと判定された場合、セレクタ１３にて音声符号化部１０の出力が選択され、音声符号化部１０において音声符号化処理された信号が伝送路側の出力端子９に出力される。また、ＤＴＭＦ検出部１２において、入力信号がＤＴＭＦ信号であると判定された場合、セレクタ１３にてセレクタ２４の出力が選択される。すなわち、ＤＴＭＦ符号化部１１において符号化処理されたＤＴＭＦ信号または音声／ＤＴＭＦ符号化部２０において音声符号化処理されたＤＴＭＦ信号が伝送路側の出力端子９に出力される。
【００７２】
以上のように、この実施の形態１２によれば、実施の形態１１の伝送路品質監視部５１としてデータ誤り率監視部５２を用いたので、伝送路上でのデータ誤りの可能性が高い場合にはＤＴＭＦ符号化部１１を選択することで確実にＤＴＭＦ信号を伝送することができる高品質な伝送を実現できる。また伝送路上でのデータ誤りの可能性が低い場合には音声／ＤＴＭＦ符号化部２０を選択制御することで、ＤＴＭＦ信号を誤検出した場合でもＤＴＭＦ信号は音声信号と同様に伝送されるため通話者に対して不快感を与えることの無い高品質な伝送を実現できる効果が得られる。
【００７３】
実施の形態１３．
図１３はこの発明の実施の形態１３による音声伝送装置の構成を示すものであり、図において、８は音声伝送装置の入力端子、９は音声伝送装置の出力端子、１０は音声信号の音声符号化処理を行う音声符号化部、１１はＤＴＭＦ信号の符号化処理を行うＤＴＭＦ符号化部である。２０は入力した音声信号およびＤＴＭＦ信号の符号化処理を行う音声／ＤＴＭＦ符号化部、１２は入力された信号がＤＴＭＦ信号であるか否かを検出・判定するＤＴＭＦ検出部である。５３は伝送路回線のＩＰパケットの損失率を監視して、ＤＴＭＦ信号の伝送にＤＴＭＦ符号化部１１および音声／ＤＴＭＦ符号化部２０のいずれを用いるかを選択制御する制御信号を出力するＩＰパケット損失率監視部（ＩＰパケット損失率監視制御手段）である。２４はＩＰパケット損失率監視部５３からの指示によりＤＴＭＦ符号化部１１の出力または音声／ＤＴＭＦ符号化部２０の出力を選択して出力するセレクタ、１３はＤＴＭＦ検出部１２からの指示により音声符号化部１０の出力またはセレクタ２４の出力を選択出力するセレクタである。
【００７４】
次に動作について説明する。
入力端子８から信号が入力されると、音声符号化部１０において音声信号が音声符号化処理される。また、ＤＴＭＦ符号化部１１では、ＤＴＭＦの音声信号がＤＴＭＦの数値にデコード処理され、音声／ＤＴＭＦ符号化部２０ではＤＴＭＦの音声信号が音声信号として音声符号化処理される。ＩＰパケット損失率監視部５３は、伝送路回線のＩＰパケットの損失率を監視してＩＰパケット損失率がある閾値よりも高ければ、伝送路上の誤り耐性がより強いＤＴＭＦ符号化部１１の出力を選択するようにセレクタ２４を制御する。またＩＰパケット損失率がある閾値よりも低ければ、ＤＴＭＦ信号の誤検出にも通話者に対して不快感を与えることの無い音声／ＤＴＭＦ符号化部２０の出力を選択するようにセレクタ２４を制御する。一方、入力信号がＤＴＭＦ検出部１２においてＤＴＭＦ信号ではないと判定された場合、セレクタ１３にて音声符号化部１０の出力が選択され、音声符号化部１０において音声符号化処理された信号が伝送路側の出力端子９に出力される。また、ＤＴＭＦ検出部１２において、入力信号がＤＴＭＦ信号であると判定された場合、セレクタ１３にてセレクタ２４の出力が選択される。すなわち、ＤＴＭＦ符号化部１１において符号化処理されたＤＴＭＦ信号または音声／ＤＴＭＦ符号化部２０において音声符号化処理されたＤＴＭＦ信号が伝送路側の出力端子９に出力される。
【００７５】
以上のように、この実施の形態１３によれば、実施の形態１１の伝送路品質監視部５１としてＩＰパケット損失率監視部５３を用いたので、伝送路上でのＩＰパケット損失の可能性が高い場合にはＤＴＭＦ符号化部１１を選択することで、確実にＤＴＭＦ信号を伝送することができる高品質な伝送を実現できる。また伝送路上でのＩＰパケット損失の可能性が低い場合には音声／ＤＴＭＦ符号化部２０を選択制御することで、ＤＴＭＦ信号を誤検出した場合でもＤＴＭＦ信号は音声信号と同様に伝送されるため、通話者に対して不快感を与えることの無い高品質な伝送を実現できる効果が得られる。
【００７６】
実施の形態１４．
図１４はこの発明の実施の形態１４による音声伝送装置の構成を示すものであり、図において、８は音声伝送装置の入力端子、９は音声伝送装置の出力端子、１０は音声信号の音声符号化処理を行う音声符号化部、１１はＤＴＭＦ信号の符号化処理を行うＤＴＭＦ符号化部である。２０は入力した音声信号およびＤＴＭＦ信号の符号化処理を行う音声／ＤＴＭＦ符号化部、１２は入力された信号がＤＴＭＦ信号であるか否かを検出・判定するＤＴＭＦ検出部である。５４は伝送路回線のＩＰパケットの到着揺らぎ量を監視して、ＤＴＭＦ信号の伝送にＤＴＭＦ符号化部１１および音声／ＤＴＭＦ符号化部２０のいずれを用いるかを選択制御する制御信号を出力するＩＰパケット揺らぎ監視部（ＩＰパケット揺らぎ監視制御手段）である。２４はＩＰパケット揺らぎ監視部５４からの指示によりＤＴＭＦ符号化部１１の出力または音声／ＤＴＭＦ符号化部２０の出力を選択して出力するセレクタ、１３はＤＴＭＦ検出部１２からの指示により音声符号化部１０の出力またはセレクタ２４の出力を選択出力するセレクタである。
【００７７】
次に動作について説明する。
入力端子８から信号が入力されると、音声符号化部１０において音声信号が音声符号化処理される。また、ＤＴＭＦ符号化部１１では、ＤＴＭＦの音声信号がＤＴＭＦの数値にデコード処理され、音声／ＤＴＭＦ符号化部２０ではＤＴＭＦの音声信号が音声信号として音声符号化処理される。ＩＰパケット揺らぎ監視部５４は、伝送路回線のＩＰパケットの到着揺らぎ量を監視してＩＰパケットの到着揺らぎ量がある閾値よりも高ければ伝送路上の誤り耐性がより強いＤＴＭＦ符号化部１１の出力を選択するようにセレクタ２４を制御する。またＩＰパケットの到着揺らぎ量がある閾値よりも低ければＤＴＭＦ信号の誤検出にも通話者に対して不快感を与えることの無い音声／ＤＴＭＦ符号化部２０の出力を選択するようにセレクタ２４を制御する。一方、入力信号がＤＴＭＦ検出部１２においてＤＴＭＦ信号ではないと判定された場合、セレクタ１３にて音声符号化部１０の出力が選択され、音声符号化部１０において音声符号化処理された信号が伝送路側の出力端子９に出力される。また、ＤＴＭＦ検出部１２において、入力信号がＤＴＭＦ信号であると判定された場合、セレクタ１３にてセレクタ２４の出力が選択される。すなわち、ＤＴＭＦ符号化部１１において符号化処理されたＤＴＭＦ信号または音声／ＤＴＭＦ符号化部２０において音声符号化処理されたＤＴＭＦ信号が伝送路側の出力端子９に出力される。
【００７８】
以上のように、この実施の形態１４によれば、実施の形態１１の伝送路品質監視部５１としてＩＰパケット揺らぎ監視部５４を用いたので、伝送路上でのＩＰパケットの到着揺らぎ量によりパケット損失と扱われる可能性が高い場合にはＤＴＭＦ符号化部１１を選択することで、確実にＤＴＭＦ信号を伝送することができる高品質な伝送を実現できる。また伝送路上でのＩＰパケットの到着揺らぎ量によりパケット損失と扱われる可能性が低い場合には音声／ＤＴＭＦ符号化部２０を選択制御することで、ＤＴＭＦ信号を誤検出した場合でもＤＴＭＦ信号は音声信号と同様に伝送されるため通話者に対して不快感を与えることの無い高品質な伝送を実現できる効果が得られる。
【００７９】
実施の形態１５．
図１５はこの発明の実施の形態１５による音声伝送装置の構成を示すものであり、図において、８は音声伝送装置の入力端子、９は音声伝送装置の出力端子、１０は音声信号の音声符号化処理を行う音声符号化部、１１はＤＴＭＦ信号の符号化処理を行うＤＴＭＦ符号化部である。２０は入力した音声信号およびＤＴＭＦ信号の符号化処理を行う音声／ＤＴＭＦ符号化部、１２は入力された信号がＤＴＭＦ信号であるか否かを検出・判定するＤＴＭＦ検出部である。５５は伝送路回線のＡＴＭセルの損失率を監視して、ＤＴＭＦ信号の伝送にＤＴＭＦ符号化部１１および音声／ＤＴＭＦ符号化部２０のいずれを用いるかを選択制御する制御信号を出力するＡＴＭセル損失率監視部（ＡＴＭセル損失率監視制御手段）である。２４はＡＴＭセル損失率監視部５５からの指示によりＤＴＭＦ符号化部１１の出力または音声／ＤＴＭＦ符号化部２０の出力を選択して出力するセレクタ、１３はＤＴＭＦ検出部１２からの指示により音声符号化部１０の出力またはセレクタ２４の出力を選択出力するセレクタである。
【００８０】
次に動作について説明する。
入力端子８から信号が入力されると、音声符号化部１０において音声信号が音声符号化処理される。また、ＤＴＭＦ符号化部１１では、ＤＴＭＦの音声信号がＤＴＭＦの数値にデコード処理され、音声／ＤＴＭＦ符号化部２０ではＤＴＭＦの音声信号が音声信号として音声符号化処理される。ＡＴＭセル損失率監視部５５は、伝送路回線のＡＴＭセルの損失率を監視して、ＡＴＭセル損失率がある閾値よりも高ければ伝送路上の誤り耐性がより強いＤＴＭＦ符号化部１１の出力を選択するようにセレクタ２４を制御する。またＡＴＭセル損失率がある閾値よりも低ければＤＴＭＦ信号の誤検出にも通話者に対して不快感を与えることの無い音声／ＤＴＭＦ符号化部２０の出力を選択するようにセレクタ２４を制御する。一方、入力信号がＤＴＭＦ検出部１２においてＤＴＭＦ信号ではないと判定された場合、セレクタ１３にて音声符号化部１０の出力が選択され、音声符号化部１０において音声符号化処理された信号が伝送路側の出力端子９に出力される。また、ＤＴＭＦ検出部１２において、入力信号がＤＴＭＦ信号であると判定された場合、セレクタ１３にてセレクタ２４の出力が選択される。すなわち、ＤＴＭＦ符号化部１１において符号化処理されたＤＴＭＦ信号または音声／ＤＴＭＦ符号化部２０において音声符号化処理されたＤＴＭＦ信号が伝送路側の出力端子９に出力される。
【００８１】
以上のように、この実施の形態１５によれば、実施の形態１１の伝送路品質監視部５１としてＡＴＭセル損失率監視部５５を用いたので、伝送路上でのＡＴＭセル損失の可能性が高い場合にはＤＴＭＦ符号化部１１を選択することで、実にＤＴＭＦ信号を伝送することができる高品質な伝送を実現できる。またＡＴＭセル損失の可能性が低い場合には音声／ＤＴＭＦ符号化部２０を選択制御することで、ＤＴＭＦ信号を誤検出した場合でもＤＴＭＦ信号は音声信号と同様に伝送されるため、通話者に対して不快感を与えることの無い高品質な伝送を実現できる効果が得られる。
【００８２】
実施の形態１６．
図１６はこの発明の実施の形態１６による音声伝送装置の構成を示すものであり、図において、８は音声伝送装置の入力端子、９は音声伝送装置の出力端子、１０は音声信号の音声符号化処理を行う音声符号化部、１１はＤＴＭＦ信号の符号化処理を行うＤＴＭＦ符号化部である。２０は入力した音声信号およびＤＴＭＦ信号の符号化処理を行う音声／ＤＴＭＦ符号化部、１２は入力された信号がＤＴＭＦ信号であるか否かを検出・判定するＤＴＭＦ検出部である。５６は伝送路回線のＡＴＭセルの到着揺らぎ量を監視してＤＴＭＦ信号の伝送にＤＴＭＦ符号化部１１および音声／ＤＴＭＦ符号化部２０のいずれを用いるかを選択制御する制御信号を出力するＡＴＭセル揺らぎ監視部（ＡＴＭセル揺らぎ監視制御手段）である。２４はＡＴＭセル揺らぎ監視部５６からの指示によりＤＴＭＦ符号化部１１の出力または音声／ＤＴＭＦ符号化部２０の出力を選択して出力するセレクタ、１３はＤＴＭＦ検出部１２からの指示により音声符号化部１０の出力またはセレクタ２４の出力を選択出力するセレクタである。
【００８３】
次に動作について説明する。
入力端子８から信号が入力されると、音声符号化部１０において音声信号が音声符号化処理される。また、ＤＴＭＦ符号化部１１では、ＤＴＭＦの音声信号がＤＴＭＦの数値にデコード処理され、音声／ＤＴＭＦ符号化部２０ではＤＴＭＦの音声信号が音声信号として音声符号化処理される。ＡＴＭセル揺らぎ監視部５６は、伝送路回線のＡＴＭセルの到着揺らぎ量を監視してＡＴＭセルの到着揺らぎ量がある閾値よりも高ければ伝送路上の誤り耐性がより強いＤＴＭＦ符号化部１１の出力を選択するようにセレクタ２４を制御する。またＡＴＭセルの到着揺らぎ量がある閾値よりも低ければＤＴＭＦ信号の誤検出にも通話者に対して不快感を与えることの無い音声／ＤＴＭＦ符号化部２０の出力を選択するようにセレクタ２４を制御する。一方、入力信号がＤＴＭＦ検出部１２においてＤＴＭＦ信号ではないと判定された場合、セレクタ１３にて音声符号化部１０の出力が選択され、音声符号化部１０において音声符号化処理された信号が伝送路側の出力端子９に出力される。また、ＤＴＭＦ検出部１２において、入力信号がＤＴＭＦ信号であると判定された場合、セレクタ１３にてセレクタ２４の出力が選択される。すなわち、ＤＴＭＦ符号化部１１において符号化処理されたＤＴＭＦ信号または音声／ＤＴＭＦ符号化部２０において音声符号化処理されたＤＴＭＦ信号が伝送路側の出力端子９に出力される。
【００８４】
以上のように、この実施の形態１６によれば、実施の形態１１の伝送路品質監視部５１としてＡＴＭセル揺らぎ監視部５６を用いたので、伝送路上でのＡＴＭセルの到着揺らぎ量によりセル損失と扱われる可能性が高い場合にはＤＴＭＦ符号化部１１を選択することで、確実にＤＴＭＦ信号を伝送することができる高品質な伝送を実現できる。また伝送路上でのＡＴＭセルの到着揺らぎ量によりセル損失と扱われる可能性が低い場合には音声／ＤＴＭＦ符号化部２０を選択制御することで、ＤＴＭＦ信号を誤検出した場合でもＤＴＭＦ信号は音声信号と同様に伝送されるため、通話者に対して不快感を与えることの無い高品質な伝送を実現できる効果が得られる。
【００８５】
実施の形態１７．
図１７はこの発明の実施の形態１７による音声伝送装置の構成を示すものであり、図において、８は音声伝送装置の入力端子、９は音声伝送装置の出力端子、１０は音声信号の音声符号化処理を行う音声符号化部、１１はＤＴＭＦ信号の符号化処理を行うＤＴＭＦ符号化部である。２０は入力した音声信号およびＤＴＭＦ信号の符号化処理を行う音声／ＤＴＭＦ符号化部、１２は入力された信号がＤＴＭＦ信号であるか否かを検出・判定するＤＴＭＦ検出部である。６１は自装置内の輻輳状態を監視して、ＤＴＭＦ信号の伝送にＤＴＭＦ符号化部１１および音声／ＤＴＭＦ符号化部２０のいずれを用いるかを選択制御する制御信号を出力する装置輻輳状態監視部（装置輻輳状態監視制御手段）である。２４は装置輻輳状態監視部６１からの指示によりＤＴＭＦ符号化部１１からの出力か音声／ＤＴＭＦ符号化部２０からの出力かを選択して出力するセレクタ、１３はＤＴＭＦ検出部１２からの指示により２４はＡＴＭセル揺らぎ監視部５６からの指示によりＤＴＭＦ符号化部１１の出力または音声／ＤＴＭＦ符号化部２０の出力を選択して出力するセレクタ、１３はＤＴＭＦ検出部１２からの指示により音声符号化部１０の出力またはセレクタ２４の出力を選択出力するセレクタである。
【００８６】
次に動作について説明する。
入力端子８から信号が入力されると、音声符号化部１０において音声信号が音声符号化処理される。また、ＤＴＭＦ符号化部１１では、ＤＴＭＦの音声信号がＤＴＭＦの数値にデコード処理され、音声／ＤＴＭＦ符号化部２０ではＤＴＭＦの音声信号が音声信号として音声符号化処理される。装置輻輳状態監視部６１は、自装置内の輻輳状態を監視して、装置輻輳状態がある閾値よりも高ければ伝送路上に出力されずに廃棄されるデータが多いと判断して伝送品質の劣化に対して耐性がより強いＤＴＭＦ符号化部１１の出力を選択するようにセレクタ２４を制御する。また装置輻輳状態がある閾値よりも低ければＤＴＭＦ信号の誤検出にも通話者に対して不快感を与えることの無い音声／ＤＴＭＦ符号化部２０の出力を選択するようにセレクタ２４を制御する。一方、入力信号がＤＴＭＦ検出部１２においてＤＴＭＦ信号ではないと判定された場合、セレクタ１３にて音声符号化部１０の出力が選択され、音声符号化部１０において音声符号化処理された信号が伝送路側の出力端子９に出力される。また、ＤＴＭＦ検出部１２において、入力信号がＤＴＭＦ信号であると判定された場合、セレクタ１３にてセレクタ２４の出力が選択される。すなわち、ＤＴＭＦ符号化部１１において符号化処理されたＤＴＭＦ信号または音声／ＤＴＭＦ符号化部２０において音声符号化処理されたＤＴＭＦ信号が伝送路側の出力端子９に出力される。
【００８７】
以上のように、この実施の形態１７によれば、実施の形態１のＤＴＭＦ伝送制御部２３として装置輻輳状態監視部６１を用いたので、自装置内での輻輳状態によって伝送品質が劣化する可能性が高い場合にはＤＴＭＦ符号化部１１を選択することで、確実にＤＴＭＦ信号を伝送することができる高品質な伝送を実現できる。また自装置内での輻輳状態によって伝送品質が劣化する可能性が低い場合には音声／ＤＴＭＦ符号化部２０を選択制御することで、ＤＴＭＦ信号を誤検出した場合でもＤＴＭＦ信号は音声信号と同様に伝送されるため、通話者に対して不快感を与えることの無い高品質な伝送を実現でき効果が得られる。
【００８８】
実施の形態１８．
図１８はこの発明の実施の形態１８による音声伝送装置の構成を示すものであり、図において、８は音声伝送装置の入力端子、９は音声伝送装置の出力端子、１０は音声信号の音声符号化処理を行う音声符号化部、１１はＤＴＭＦ信号の符号化処理を行うＤＴＭＦ符号化部である。２０は入力した音声信号およびＤＴＭＦ信号の符号化処理を行う音声／ＤＴＭＦ符号化部、１２は入力された信号がＤＴＭＦ信号であるか否かを検出・判定するＤＴＭＦ検出部である。６２はＤＣＭＥ（Ｄｉｇｉｔａｌ  Ｃｉｒｃｕｉｔ  Ｍｕｌｔｉｐｌｉｃａｔｉｏｎ  Ｅｑｕｉｐｍｅｎｔ：デジタル回線多重化装置）のように自装置内の輻輳により伝送すべき音声信号が伝送できずに締め出されてしまった割合である締め出し率を監視して、ＤＴＭＦ信号の伝送にＤＴＭＦ符号化部１１および音声／ＤＴＭＦ符号化部２０のいずれを用いるかを選択制御する制御信号を出力する締め出し率監視部（締め出し率監視制御手段）である。２４は締め出し率監視部６２からの指示によりＤＴＭＦ符号化部１１からの出力か音声／ＤＴＭＦ符号化部２０からの出力かを選択して出力するセレクタ、１３はＤＴＭＦ検出部１２からの指示により２４はＡＴＭセル揺らぎ監視部５６からの指示によりＤＴＭＦ符号化部１１の出力または音声／ＤＴＭＦ符号化部２０の出力を選択して出力するセレクタ、１３はＤＴＭＦ検出部１２からの指示により音声符号化部１０の出力またはセレクタ２４の出力を選択出力するセレクタである。
【００８９】
次に動作について説明する。
入力端子８から信号が入力されると、音声符号化部１０において音声信号が音声符号化処理される。また、ＤＴＭＦ符号化部１１では、ＤＴＭＦの音声信号がＤＴＭＦの数値にデコード処理され、音声／ＤＴＭＦ符号化部２０ではＤＴＭＦの音声信号が音声信号として音声符号化処理される。締め出し率監視部６２は、締め出し率を監視して締め出し率がある閾値よりも高ければ誤り耐性がより強いＤＴＭＦ符号化部１１の出力を選択するようにセレクタ２４を制御する。また締め出し率がある閾値よりも低ければＤＴＭＦ信号の誤検出にも通話者に対して不快感を与えることの無い音声／ＤＴＭＦ符号化部２０の出力を選択するようセレクタ２４を制御する。一方、入力信号がＤＴＭＦ検出部１２においてＤＴＭＦ信号ではないと判定された場合、セレクタ１３にて音声符号化部１０の出力が選択され、音声符号化部１０において音声符号化処理された信号が伝送路側の出力端子９に出力される。また、ＤＴＭＦ検出部１２において、入力信号がＤＴＭＦ信号であると判定された場合、セレクタ１３にてセレクタ２４の出力が選択される。すなわち、ＤＴＭＦ符号化部１１において符号化処理されたＤＴＭＦ信号または音声／ＤＴＭＦ符号化部２０において音声符号化処理されたＤＴＭＦ信号が伝送路側の出力端子９に出力される。
【００９０】
以上のように、この実施の形態１８によれば、実施の形態１７の装置輻輳状態監視部６１として締め出し率監視部６２を用いたので、ＤＣＭＥのように自装置内での輻輳状態を示す締め出し率を監視して伝送品質が劣化する可能性が高い場合にはＤＴＭＦ符号化部１１を選択することで、確実にＤＴＭＦ信号を伝送することができる高品質な伝送を実現できる。また伝送品質が劣化する可能性が低い場合には音声／ＤＴＭＦ符号化部２０を選択制御することで、ＤＴＭＦ信号を誤検出した場合でもＤＴＭＦ信号は音声信号と同様に伝送されるため通話者に対して不快感を与えることの無い高品質な伝送を実現できる効果が得られる。
【００９１】
実施の形態１９．
図１９はこの発明の実施の形態１９による音声伝送装置の構成を示すものであり、図において、８は音声伝送装置の入力端子、９は音声伝送装置の出力端子、１０は音声信号の音声符号化処理を行う音声符号化部、１１はＤＴＭＦ信号の符号化処理を行うＤＴＭＦ符号化部である。２０は入力した音声信号およびＤＴＭＦ信号の符号化処理を行う音声／ＤＴＭＦ符号化部、１２は入力された信号がＤＴＭＦ信号であるか否かを検出・判定するＤＴＭＦ検出部である。６３は自装置内の輻輳により伝送すべきＩＰパケットが伝送できなかった割合であるＩＰパケット廃棄率を監視して、ＤＴＭＦ信号の伝送にＤＴＭＦ符号化部１１および音声／ＤＴＭＦ符号化部２０のいずれを用いるかを選択制御する制御信号を出力するＩＰパケット廃棄率監視部（ＩＰパケット廃棄率監視制御手段）である。２４はＩＰパケット廃棄率監視部６３からの指示によりＤＴＭＦ符号化部１１からの出力か音声／ＤＴＭＦ符号化部２０からの出力かを選択して出力するセレクタ、１３はＤＴＭＦ検出部１２からの指示により２４はＡＴＭセル揺らぎ監視部５６からの指示によりＤＴＭＦ符号化部１１の出力または音声／ＤＴＭＦ符号化部２０の出力を選択して出力するセレクタ、１３はＤＴＭＦ検出部１２からの指示により音声符号化部１０の出力またはセレクタ２４の出力を選択出力するセレクタである。
【００９２】
次に動作について説明する。
入力端子８から信号が入力されると、音声符号化部１０において音声信号が音声符号化処理される。また、ＤＴＭＦ符号化部１１では、ＤＴＭＦの音声信号がＤＴＭＦの数値にデコード処理され、音声／ＤＴＭＦ符号化部２０ではＤＴＭＦの音声信号が音声信号として音声符号化処理される。ＩＰパケット廃棄率監視部６３は、ＩＰパケット廃棄率を監視して、ＩＰパケット廃棄率がある閾値よりも高ければ誤り耐性がより強いＤＴＭＦ符号化部１１の出力を選択するようにセレクタ２４を制御する。またＩＰパケット廃棄率がある閾値よりも低ければＤＴＭＦ信号の誤検出にも通話者に対して不快感を与えることの無い音声／ＤＴＭＦ符号化部２０の出力を選択するようにセレクタ２４を制御する。一方、入力信号がＤＴＭＦ検出部１２においてＤＴＭＦ信号ではないと判定された場合、セレクタ１３にて音声符号化部１０の出力が選択され、音声符号化部１０において音声符号化処理された信号が伝送路側の出力端子９に出力される。また、ＤＴＭＦ検出部１２において、入力信号がＤＴＭＦ信号であると判定された場合、セレクタ１３にてセレクタ２４の出力が選択される。すなわち、ＤＴＭＦ符号化部１１において符号化処理されたＤＴＭＦ信号または音声／ＤＴＭＦ符号化部２０において音声符号化処理されたＤＴＭＦ信号が伝送路側の出力端子９に出力される。
【００９３】
以上のように、この実施の形態１９によれば、実施の形態１７の装置輻輳状態監視部６１として締め出し率監視部６２を用いたので、自装置内での輻輳状態を示すＩＰパケット廃棄率を監視して、伝送品質が劣化する可能性が高い場合にはＤＴＭＦ符号化部１１を選択することで、確実にＤＴＭＦ信号を伝送できる高品質な伝送システムを実現できる。また伝送品質が劣化する可能性が低い場合には音声／ＤＴＭＦ符号化部２０を選択制御することで、ＤＴＭＦ信号を誤検出した場合でもＤＴＭＦ信号は音声信号と同様に伝送されるため通話者に対して不快感を与えることの無い高品質な伝送を実現できる効果が得られる。
【００９４】
実施の形態２０．
図２０はこの発明の実施の形態２０による音声伝送装置の構成を示すものであり、図において、８は音声伝送装置の入力端子、９は音声伝送装置の出力端子、１０は音声信号の音声符号化処理を行う音声符号化部、１１はＤＴＭＦ信号の符号化処理を行うＤＴＭＦ符号化部である。２０は入力した音声信号およびＤＴＭＦ信号の符号化処理を行う音声／ＤＴＭＦ符号化部、１２は入力された信号がＤＴＭＦ信号であるか否かを検出・判定するＤＴＭＦ検出部である。６４は自装置内の輻輳により伝送すべきＡＴＭセルが伝送できなかった割合であるＡＴＭセル廃棄率を監視して、ＤＴＭＦ信号の伝送にＤＴＭＦ符号化部１１および音声／ＤＴＭＦ符号化部２０のいずれを用いるかを選択制御するＡＴＭセル廃棄率監視部（ＡＴＭセル廃棄率監視制御手段）である。２４はＡＴＭセル廃棄率監視部６４からの指示によりＤＴＭＦ符号化部１１からの出力か音声／ＤＴＭＦ符号化部２０からの出力かを選択して出力するセレクタ、１３はＤＴＭＦ検出部１２からの指示により２４はＡＴＭセル揺らぎ監視部５６からの指示によりＤＴＭＦ符号化部１１の出力または音声／ＤＴＭＦ符号化部２０の出力を選択して出力するセレクタ、１３はＤＴＭＦ検出部１２からの指示により音声符号化部１０の出力またはセレクタ２４の出力を選択出力するセレクタである。
【００９５】
次に動作について説明する。
入力端子８から信号が入力されると、音声符号化部１０において音声信号が音声符号化処理される。また、ＤＴＭＦ符号化部１１では、ＤＴＭＦの音声信号がＤＴＭＦの数値にデコード処理され、音声／ＤＴＭＦ符号化部２０ではＤＴＭＦの音声信号が音声信号として音声符号化処理される。ＡＴＭセル廃棄率監視部６４は、ＡＴＭセル廃棄率を監視してＡＴＭセル廃棄率がある閾値よりも高ければ誤り耐性がより強いＤＴＭＦ符号化部１１の出力を選択するようにセレクタ２４を制御する。またＡＴＭセル廃棄率がある閾値よりも低ければＤＴＭＦ信号の誤検出にも通話者に対して不快感を与えることの無い音声／ＤＴＭＦ符号化部２０の出力を選択するようにセレクタ２４を制御する。一方、入力信号がＤＴＭＦ検出部１２においてＤＴＭＦ信号ではないと判定された場合、セレクタ１３にて音声符号化部１０の出力が選択され、音声符号化部１０において音声符号化処理された信号が伝送路側の出力端子９に出力される。また、ＤＴＭＦ検出部１２において、入力信号がＤＴＭＦ信号であると判定された場合、セレクタ１３にてセレクタ２４の出力が選択される。すなわち、ＤＴＭＦ符号化部１１において符号化処理されたＤＴＭＦ信号または音声／ＤＴＭＦ符号化部２０において音声符号化処理されたＤＴＭＦ信号が伝送路側の出力端子９に出力される。
【００９６】
以上のように、この実施の形態２０によれば、実施の形態１７の装置輻輳状態監視部６１としてＡＴＭセル廃棄率監視部６４を用いたので、自装置内での輻輳状態を示すＡＴＭセル廃棄率を監視して、伝送品質が劣化する可能性が高い場合にはＤＴＭＦ符号化部１１を選択することで、確実にＤＴＭＦ信号を伝送することができる高品質な伝送を実現できる。また伝送品質が劣化する可能性が低い場合には音声／ＤＴＭＦ符号化部２０を選択制御することで、ＤＴＭＦ信号を誤検出した場合でもＤＴＭＦ信号は音声信号と同様に伝送されるため通話者に対して不快感を与えることの無い高品質な伝送を実現できる効果が得られる。
【００９７】
実施の形態２１．
図２１はこの発明の実施の形態２１による音声伝送装置の構成を示すものであり、図において、８は音声伝送装置の入力端子、９は音声伝送装置の出力端子、１０は音声信号の音声符号化処理を行う音声符号化部（音声符号化処理手段）、１１はＤＴＭＦ信号の符号化処理を行うＤＴＭＦ符号化部（ＤＴＭＦ符号化処理手段）である。２１は音声信号およびＤＴＭＦ信号の符号化処理を行う第１の音声／ＤＴＭＦ符号化部（第１の音声／ＤＴＭＦ符号化処理手段）、２２は音声信号およびＤＴＭＦ信号の符号化処理を行う第２の音声／ＤＴＭＦ符号化部（第２の音声／ＤＴＭＦ符号化処理手段）である。１２は入力された信号がＤＴＭＦ信号であるか否かを検出・判定するＤＴＭＦ検出部である。２３は実施の形態２におけるＤＴＭＦ伝送制御部に相当するもので、呼接続状態監視部３１および伝送路品質監視部５１からなる。その中で、伝送路品質監視部５１は、伝送路回線の伝送品質を監視して、音声／ＤＴＭＦ符号化部として第１の音声／ＤＴＭＦ符号化部２１および第２の音声／ＤＴＭＦ符号化部２２のいずれを用いるかを選択制御する制御信号を出力するものである。また、呼接続状態監視部３１は、呼の接続状態を監視して、ＤＴＭＦ信号の伝送にＤＴＭＦ符号化部１１を用いるか、あるいは伝送路品質監視部５１により選択された第１の音声／ＤＴＭＦ符号化部２１または第２の音声／ＤＴＭＦ符号化部２２を用いるかを選択制御する制御信号を出力するものである。２５は実施の形態２におけるセレクタに相当するもので、セレクタ部２６，２７からなる。セレクタ部２６は、伝送品質監視部５１からの指示により第１の音声／ＤＴＭＦ符号化部２１の出力または第２の音声／ＤＴＭＦ符号化部２２の出力を選択するセレクタ２５の選択動作の第１ステップを形成する。セレクタ部２７は呼接続状態監視部３１からの指示によりＤＴＭＦ符号化部１１の出力またはセレクタ部２６の選択出力を選択して出力する第１ステップを形成するものである。１３はＤＴＭＦ検出部１２からの指示により音声符号化部１０の出力またはセレクタ２７の選択出力を選択するセレクタである。
【００９８】
次に動作について説明する。
入力端子８から信号が入力されると、音声符号化部１０において音声信号が音声符号化処理される。また、ＤＴＭＦ符号化部１１では、ＤＴＭＦの音声信号がＤＴＭＦの数値にデコード処理される。さらに、第１の音声／ＤＴＭＦ符号化部２１および第２の音声／ＤＴＭＦ符号化部２２では、ＤＴＭＦの音声信号が音声信号として音声符号化処理される。ここで、第２の音声／ＤＴＭＦ符号化部２２は第１の音声／ＤＴＭＦ符号化部２１よりも符号化速度が高く高品質な符号化データを出力する符号化部であるとする。
伝送路品質監視部５１は、伝送路回線の伝送品質を監視して、伝送路品質がある閾値よりも低ければ伝送路上に出力するデータ量がより低く誤りを受け難い第１の音声／ＤＴＭＦ符号化部２１の出力を選択するようセレクタ部２６を制御し、また伝送路品質がある閾値よりも高ければ第２の音声／ＤＴＭＦ符号化部２２の出力を選択するようセレクタ部２６を制御する（第１ステップ）。次に、呼接続状態監視部３１は、呼の接続状態を監視して、通話が開始される前の呼の接続シーケンス中であればＤＴＭＦ符号化部１１の出力を選択するようにセレクタ部２７を制御し、また呼の接続シーケンスが完了して通話中であればセレクタ部２６の選択出力を選択するようセレクタ部２７を制御する（第２ステップ）。
一方、ＤＴＭＦ検出部１２において、入力信号がＤＴＭＦ信号ではないと判定された場合、セレクタ１３にて音声符号化部１０の出力が選択され、音声符号化部１０において音声符号化処理された信号が伝送路側（出力端子）９に出力される。また、ＤＴＭＦ検出部１２において、ＤＴＭＦ信号であると判定された場合、セレクタ１３にてセレクタ２７の出力が選択され、セレクタ２５またはセレクタ部２７の選択出力が伝送路側（出力端子）９に出力されるよう制御される。
【００９９】
以上のように、この実施の形態２１によれば、実施の形態２のＤＴＭＦ伝送制御部２３として伝送路品質監視部５１と呼接続状態監視部３１を用いたので、通話中には第１の音声／ＤＴＭＦ符号化部２１または第２の音声／ＤＴＭＦ符号化部２２を選択制御することで、ＤＴＭＦ信号を誤検出した場合でもＤＴＭＦ信号は音声信号と同様に伝送されるため、通話者に対して不快感を与えることなく、かつ呼接続シーケンス中の真にＤＴＭＦが伝送される場合にはＤＴＭＦ符号化部１１を選択制御することで、ＤＴＭＦ信号をデコード伝送するため確実にＤＴＭＦ信号を伝送することができる高品質な伝送を実現できる。また、伝送路上での伝送誤りの可能性が高い場合には伝送路上に出力するデータ量がより低く誤りを受け難い第１の音声／ＤＴＭＦ符号化部２１を選択することで、より確実にＤＴＭＦ信号を伝送することができ、伝送路上での伝送誤りの可能性が低い場合には第２の音声／ＤＴＭＦ符号化部２２を選択制御することでより高品質な伝送を実現できる効果が得られる。
【０１００】
実施の形態２２．
図２２はこの発明の実施の形態２２による音声伝送装置の構成を示すものであり、図において、８は音声伝送装置の入力端子、９は音声伝送装置の出力端子、１０は音声信号の音声符号化処理を行う音声符号化部、１１はＤＴＭＦ信号の符号化処理を行うＤＴＭＦ符号化部である。２１は音声信号およびＤＴＭＦ信号の符号化処理を行う第１の音声／ＤＴＭＦ符号化部、２２は音声信号およびＤＴＭＦ信号の符号化処理を行う第２の音声／ＤＴＭＦ符号化部である。１２は入力された信号がＤＴＭＦ信号であるか否かを検出・判定するＤＴＭＦ検出部である。２３は実施の形態２におけるＤＴＭＦ伝送制御部に相当するもので、呼接続状態監視部３１および装置輻輳状態監視部６１からなる。その中で、装置輻輳状態監視部６１は自装置内の輻輳状態を監視して、音声／ＤＴＭＦ符号化部として第１の音声／ＤＴＭＦ符号化部２１および第２の音声／ＤＴＭＦ符号化部２２のいずれを用いるかを選択制御する制御信号を出力するものである。また、呼接続状態監視部３１は、呼の接続状態を監視して、ＤＴＭＦ信号の伝送にＤＴＭＦ符号化部１１を用いるか、あるいは伝送路品質監視部５１により選択された第１の音声／ＤＴＭＦ符号化部２１または第２の音声／ＤＴＭＦ符号化部２２を用いるかを選択制御する制御信号を出力するものである。２５は実施の形態２におけるセレクタに相当するもので、セレクタ部２６，２７からなる。セレクタ部２６は装置輻輳状態監視部６１からの指示により第１の音声／ＤＴＭＦ符号化部２１の出力または第２の音声／ＤＴＭＦ符号化部２２の出力を選択するセレクタ２５の選択動作の第１ステップを形成する。セレクタ部２７は呼接続状態監視部３１からの指示によりＤＴＭＦ符号化部１１の出力またはセレクタ部２６の選択出力を選択して出力する第２ステップを形成するものである。１３はＤＴＭＦ検出部１２からの指示により音声符号化部１０の出力またはセレクタ２７の選択出力を選択するセレクタである。
【０１０１】
次に動作について説明する。
入力端子８から信号が入力されると、音声符号化部１０において音声信号が音声符号化処理される。また、ＤＴＭＦ符号化部１１では、ＤＴＭＦの音声信号がＤＴＭＦの数値にデコード処理される。さらに、第１の音声／ＤＴＭＦ符号化部２１および第２の音声／ＤＴＭＦ符号化部２２では、ＤＴＭＦの音声信号が音声信号として音声符号化処理される。ここで、第２の音声／ＤＴＭＦ符号化部２２は第１の音声／ＤＴＭＦ符号化部２１よりも符号化速度が高く高品質な符号化データを出力する符号化部であるとする。
装置輻輳状態監視部６１は、自装置内の輻輳状態を監視して輻輳状態がある閾値よりも高ければ、装置内で発生するデータ量がより低く誤りを受け難い第１の音声／ＤＴＭＦ符号化部２１の出力を選択するようにセレクタ部２６を制御する。また輻輳状態がある閾値よりも低ければ第２の音声／ＤＴＭＦ符号化部２２の出力を選択するようセレクタ２６を制御する（第１ステップ）。次に、呼接続状態監視部３１は、呼の接続状態を監視して、通話が開始される前の呼の接続シーケンス中であればＤＴＭＦ符号化部１１の出力を選択するようにセレクタ部２７を制御し、また呼の接続シーケンスが完了して通話中であればセレクタ部２６の選択出力を選択するようセレクタ部２７を制御する（第２ステップ）。
一方、ＤＴＭＦ検出部１２において、入力信号がＤＴＭＦ信号ではないと判定された場合、セレクタ１３にて音声符号化部１０の出力が選択され、音声符号化部１０において音声符号化処理された信号が伝送路側（出力端子）９に出力される。また、ＤＴＭＦ検出部１２において、ＤＴＭＦ信号であると判定された場合、セレクタ１３にてセレクタ２７の出力が選択され、セレクタ２５またはセレクタ部２７の選択出力が伝送路側（出力端子）９に出力されるよう制御される。
【０１０２】
以上のように、この実施の形態２２によれば、実施の形態２のＤＴＭＦ伝送制御部２３として装置輻輳状態監視部６１と呼接続状態監視部３１を用いたので、通話中には第１の音声／ＤＴＭＦ符号化部２１または第２の音声／ＤＴＭＦ符号化部２２を選択制御することで、ＤＴＭＦ信号を誤検出した場合でもＤＴＭＦ信号は音声信号と同様に伝送されるため通話者に対して不快感を与えることはなく、かつ呼接続シーケンス中の真にＤＴＭＦが伝送される場合にはＤＴＭＦ符号化部１１を選択制御することでＤＴＭＦ信号をデコード伝送するため確実にＤＴＭＦ信号を伝送することができる高品質な伝送を実現できる。また、自装置内での輻輳状態が高く出力すべきデータが廃棄される可能性が高い場合には装置内で発生するデータ量がより低く誤りを受け難い第１の音声／ＤＴＭＦ符号化部２１を選択することで、より確実にＤＴＭＦ信号を伝送することができ、輻輳状態が低く出力すべきデータが廃棄される可能性が低い場合には第２の音声／ＤＴＭＦ符号化部２２を選択制御することでより高品質な伝送を実現できる効果が得られる。
【０１０３】
実施の形態２３．
図２３はこの発明の実施の形態２３による音声伝送装置の構成を示すものであり、図において、８は音声伝送装置の入力端子、９は音声伝送装置の出力端子、１０は音声信号の音声符号化処理を行う音声符号化部、１１はＤＴＭＦ信号の符号化処理を行うＤＴＭＦ符号化部である。２１は音声信号およびＤＴＭＦ信号の符号化処理を行う第１の音声／ＤＴＭＦ符号化部、２２は音声信号およびＤＴＭＦ信号の符号化処理を行う第２の音声／ＤＴＭＦ符号化部である。１２は入力された信号がＤＴＭＦ信号であるか否かを検出・判定するＤＴＭＦ検出部である。２３は実施の形態２におけるＤＴＭＦ伝送制御部に相当するもので、伝送路品質監視部５１および入力信号品質監視部４１からなる。その中で、伝送路品質監視部５１は伝送路回線の伝送品質を監視して第１の音声／ＤＴＭＦ符号化部２１および第２の音声／ＤＴＭＦ符号化部２２のいずれを用いるかを選択制御する制御信号を出力するものである。また、入力信号品質監視部４１は入力される音声信号やＤＴＭＦ信号の品質を監視して、ＤＴＭＦ信号の伝送にＤＴＭＦ符号化部１１を用いるか、あるいは伝送路品質監視部５１により選択された第１の音声／ＤＴＭＦ符号化部２１または第２の音声／ＤＴＭＦ符号化部２２を用いるかを選択制御する制御信号を出力するものである。２５は実施の形態２におけるセレクタに相当するもので、セレクタ部２６，２７からなる。セレクタ部２６は伝送路品質監視部５１からの指示により第１の音声／ＤＴＭＦ符号化部２１の出力または第２の音声／ＤＴＭＦ符号化部２２の出力を選択するセレクタ２５の選択動作の第１ステップを形成する。セレクタ部２７は入力信号品質監視部４１からの指示によりＤＴＭＦ符号化部１１の出力またはセレクタ部２６の選択出力を選択して出力する第２ステップを形成するものである。１３はＤＴＭＦ検出部１２からの指示により音声符号化部１０の出力またはセレクタ２７の選択出力を選択するセレクタである。
【０１０４】
次に動作について説明する。
入力端子８から信号が入力されると、音声符号化部１０において音声信号が音声符号化処理される。また、ＤＴＭＦ符号化部１１では、ＤＴＭＦの音声信号がＤＴＭＦの数値にデコード処理される。さらに、第１の音声／ＤＴＭＦ符号化部２１および第２の音声／ＤＴＭＦ符号化部２２では、ＤＴＭＦの音声信号が音声信号として音声符号化処理される。ここで、第２の音声／ＤＴＭＦ符号化部２２は第１の音声／ＤＴＭＦ符号化部２１よりも符号化速度が高く高品質な符号化データを出力する符号化部であるとする。
伝送路品質監視部５１は、伝送路回線の伝送品質を監視して伝送路品質がある閾値よりも低ければ伝送路上に出力するデータ量がより低く誤りを受け難い第１の音声／ＤＴＭＦ符号化部２１の出力を選択するようにセレクタ部２６を制御し、また伝送路品質がある閾値よりも高ければ第２の音声／ＤＴＭＦ符号化部２２の出力を選択するようセレクタ部２６を制御する（第１ステップ）。次に、入力信号品質監視部４１は、入力される音声信号やＤＴＭＦ信号の品質を監視して品質がある閾値よりも良ければＤＴＭＦの誤検出は少ないと判断してＤＴＭＦ符号化部１１の出力を選択するようにセレクタ部２７を制御し、また品質がある閾値よりも悪ければＤＴＭＦの誤検出は多いと判断してセレクタ２６の出力を選択するようセレクタ部２７を制御する。
一方、ＤＴＭＦ検出部１２において、入力信号がＤＴＭＦ信号ではないと判定された場合、セレクタ１３にて音声符号化部１０の出力が選択され、音声符号化部１０において音声符号化処理された信号が伝送路側（出力端子）９に出力される。また、ＤＴＭＦ検出部１２において、ＤＴＭＦ信号であると判定された場合、セレクタ１３にてセレクタ２７の出力が選択され、セレクタ２５またはセレクタ部２７の選択出力が伝送路側（出力端子）９に出力されるよう制御される。
【０１０５】
以上のように、この実施の形態２３によれば、実施の形態２のＤＴＭＦ伝送制御部２３として伝送路品質監視部５１と入力信号品質監視部４１を用いたので、ＤＴＭＦの誤検出の可能性が高い場合には第１の音声／ＤＴＭＦ符号化部２１または第２の音声／ＤＴＭＦ符号化部２２を選択制御することで、ＤＴＭＦ信号を誤検出した場合でもＤＴＭＦ信号は音声信号と同様に伝送されるため、通話者に対して不快感を与えることなく、かつ、確実にＤＴＭＦ信号を伝送することができる高品質な伝送を実現できる。また、伝送路上での伝送誤りの可能性が高い場合には伝送路上に出力するデータ量がより低く誤りを受け難い第１の音声／ＤＴＭＦ符号化部２１を選択することで、より確実にＤＴＭＦ信号を伝送することができ、伝送路上での伝送誤りの可能性が低い場合には第２の音声／ＤＴＭＦ符号化部２２を選択制御することでより高品質な伝送を実現できる効果が得られる。
【０１０６】
実施の形態２４．
図２４はこの発明の実施の形態２４による音声伝送装置の構成を示すものであり、図において、８は音声伝送装置の入力端子、９は音声伝送装置の出力端子、１０は音声信号の音声符号化処理を行う音声符号化部、１１はＤＴＭＦ信号の符号化処理を行うＤＴＭＦ符号化部である。２１は音声信号およびＤＴＭＦ信号の符号化処理を行う第１の音声／ＤＴＭＦ符号化部、２２は音声信号およびＤＴＭＦ信号の符号化処理を行う第２の音声／ＤＴＭＦ符号化部である。１２は入力された信号がＤＴＭＦ信号であるか否かを検出・判定するＤＴＭＦ検出部である。２３は実施の形態２におけるＤＴＭＦ伝送制御部に相当するもので、装置輻輳状態監視部６１および入力信号品質監視部４１からなる。その中で、装置輻輳状態監視部６１は自装置内の輻輳状態を監視して、第１の音声／ＤＴＭＦ符号化部２１および第２の音声／ＤＴＭＦ符号化部２２のいずれを用いるかを選択制御する制御信号を出力するものである。また、入力信号品質監視部４１は入力される音声信号やＤＴＭＦ信号の品質を監視して、ＤＴＭＦ信号の伝送にＤＴＭＦ符号化部１１を用いるか、あるいは伝送路品質監視部５１により選択された第１の音声／ＤＴＭＦ符号化部２１または第２の音声／ＤＴＭＦ符号化部２２を用いるかを選択制御する制御信号を出力するものである。２５は実施の形態２におけるセレクタに相当するもので、セレクタ部２６，２７からなる。セレクタ部２６は装置輻輳状態監視部６１からの指示により第１の音声／ＤＴＭＦ符号化部２１の出力または第２の音声／ＤＴＭＦ符号化部２２の出力を選択するセレクタ２５の選択動作の第１ステップを形成する。セレクタ部２７は入力信号品質監視部４１からの指示によりＤＴＭＦ符号化部１１の出力またはセレクタ部２６の選択出力を選択して出力する第２ステップを形成するものである。１３はＤＴＭＦ検出部１２からの指示により音声符号化部１０の出力またはセレクタ２７の選択出力を選択するセレクタである。
【０１０７】
次に動作について説明する。
入力端子８から信号が入力されると、音声符号化部１０において音声信号が音声符号化処理される。また、ＤＴＭＦ符号化部１１では、ＤＴＭＦの音声信号がＤＴＭＦの数値にデコード処理される。さらに、第１の音声／ＤＴＭＦ符号化部２１および第２の音声／ＤＴＭＦ符号化部２２では、ＤＴＭＦの音声信号が音声信号として音声符号化処理される。ここで、第２の音声／ＤＴＭＦ符号化部２２は第１の音声／ＤＴＭＦ符号化部２１よりも符号化速度が高く高品質な符号化データを出力する符号化部であるとする。
装置輻輳状態監視部６１は、自装置内の輻輳状態を監視して輻輳状態がある閾値よりも高ければ、装置内で発生するデータ量がより低く誤りを受け難い第１の音声／ＤＴＭＦ符号化部２１の出力を選択するようにセレクタ部２６を制御する。また輻輳状態がある閾値よりも低ければ第２の音声／ＤＴＭＦ符号化部２２の出力を選択するようセレクタ２６を制御する（第１ステップ）。次に、入力信号品質監視部４１は、入力される音声信号やＤＴＭＦ信号の品質を監視して品質がある閾値よりも良ければＤＴＭＦの誤検出は少ないと判断してＤＴＭＦ符号化部１１の出力を選択するようにセレクタ部２７を制御し、また品質がある閾値よりも悪ければＤＴＭＦの誤検出は多いと判断してセレクタ２６の出力を選択するようセレクタ部２７を制御する。
一方、ＤＴＭＦ検出部１２において、入力信号がＤＴＭＦ信号ではないと判定された場合、セレクタ１３にて音声符号化部１０の出力が選択され、音声符号化部１０において音声符号化処理された信号が伝送路側（出力端子）９に出力される。また、ＤＴＭＦ検出部１２において、ＤＴＭＦ信号であると判定された場合、セレクタ１３にてセレクタ２７の出力が選択され、セレクタ２５またはセレクタ部２７の選択出力が伝送路側（出力端子）９に出力されるよう制御される。
【０１０８】
以上のように、この実施の形態２４によれば、実施の形態２のＤＴＭＦ伝送制御部２３として装置輻輳状態監視部６１と入力信号品質監視部４１を用いたので、ＤＴＭＦの誤検出の可能性が高い場合には第１の音声／ＤＴＭＦ符号化部２１または第２の音声／ＤＴＭＦ符号化部２２を選択制御することで、ＤＴＭＦ信号を誤検出した場合でもＤＴＭＦ信号は音声信号と同様に伝送されるため、通話者に対して不快感を与えることがなく、かつ、確実にＤＴＭＦ信号を伝送することができる高品質な伝送を実現できる。また、自装置内での輻輳状態が高く出力すべきデータが廃棄される可能性が高い場合には装置内で発生するデータ量がより低く誤りを受け難い第１の音声／ＤＴＭＦ符号化部２１を選択することで、より確実にＤＴＭＦ信号を伝送することができ、輻輳状態が低く出力すべきデータが廃棄される可能性が低い場合には第２の音声／ＤＴＭＦ符号化部を選択制御することでより高品質な伝送を実現できる効果が得られる。
【０１０９】
実施の形態２５．
図２５はこの発明の実施の形態２５による音声伝送装置の構成を示すものであり、図において、８は音声伝送装置の入力端子、９は音声伝送装置の出力端子、１０は音声信号の音声符号化処理を行う音声符号化部である。１１はＤＴＭＦ信号の符号化処理を行うＤＴＭＦ符号化部、２１は音声信号およびＤＴＭＦ信号の符号化処理を行う第１の音声／ＤＴＭＦ符号化部、２２は音声信号およびＤＴＭＦ信号の符号化処理を行う第２の音声／ＤＴＭＦ符号化部である。ここで、第２の音声／ＤＴＭＦ符号化部２２は第１の音声／ＤＴＭＦ符号化部２１よりも符号化速度が高く高品質な符号化データを出力する符号化部とする。１２は入力された信号がＤＴＭＦ信号であるか否かを検出・判定するＤＴＭＦ検出部である。５１は伝送路回線の伝送品質を監視して、伝送品質の検出レベルに応じてＤＴＭＦ信号の伝送にＤＴＭＦ符号化部１１、第１の音声／ＤＴＭＦ符号化部２１および第２の音声／ＤＴＭＦ符号化部２２のいずれを用いるかを選択制御する制御信号を出力する伝送路品質監視部である。２５は伝送路品質監視部５１からの指示よりＤＴＭＦ符号化部１１の出力、第１の音声／ＤＴＭＦ符号化部２１の出力および第２の音声／ＤＴＭＦ符号化部２２の出力のいずれかを選択して出力するセレクタである。１３はＤＴＭＦ検出部１２からの指示により音声符号化部１０の出力またはセレクタ２５の出力を選択するセレクタである。
【０１１０】
次に動作について説明する。
入力端子８に信号が入力されると、音声符号化部１０において音声信号が音声符号化処理される。また、ＤＴＭＦ符号化部１１では、ＤＴＭＦの音声信号はＤＴＭＦの数値にデコード処理され、さらに第１の音声／ＤＴＭＦ符号化部２１および第２の音声／ＤＴＭＦ符号化部２２では、ＤＴＭＦの音声信号が音声信号として音声符号化処理される。
伝送路品質監視部５１は、伝送路回線の伝送品質を監視して、伝送路品質の検出レベルがある閾値Ａよりも低ければ、伝送路上の誤り耐性がより強いＤＴＭＦ符号化部１１の出力を選択するようにセレクタ２５を制御する。また伝送路品質の検出レベルがある閾値Ａよりも高くある閾値Ｂよりも低ければ、ＤＴＭＦ信号の誤検出にも通話者に対して不快感を与えることが無く第２の音声／ＤＴＭＦ符号化部２２よりの発生データ量が少ないため、伝送路上で誤りを受ける可能性が第２の音声／ＤＴＭＦ符号化部２２よりも低い第１の音声／ＤＴＭＦ符号化部２１の出力を選択するようにセレクタ２５を制御する。さらに伝送路品質の検出レベルがある閾値Ｂよりも高ければ、ＤＴＭＦ信号の誤検出にも通話者に対して不快感を与えることの無い第２の音声／ＤＴＭＦ符号化部２２の出力を選択するようにセレクタ２５を制御する。ここで、閾値Ａは閾値Ｂよりも伝送路品質が悪い値とする。
一方、ＤＴＭＦ検出部１２において、入力信号がＤＴＭＦ信号ではないと判定された場合、セレクタ１３にて音声符号化部１０の出力が選択され、音声符号化部１０において音声符号化処理された信号が伝送路側（出力端子）９に出力される。また、ＤＴＭＦ検出部１２において、入力信号がＤＴＭＦ信号であると判定された場合、セレクタ１３にてセレクタ２５のＤＴＭＦ信号出力が選択され伝送路側（出力端子）９に出力される。すなわち、このときのＤＴＭＦ信号出力は、ＤＴＭＦ符号化部１１において符号化処理されたＤＴＭＦ信号、第１の音声／ＤＴＭＦ符号化部２１において音声符号化処理されたＤＴＭＦ信号および第２の音声／ＤＴＭＦ符号化部２２において音声符号化処理されたＤＴＭＦ信号のいずれかとなる。
【０１１１】
以上のように、この実施の形態２５によれば、実施の形態２のＤＴＭＦ伝送制御部２３として伝送路品質監視部５１を用いたので、伝送路上での伝送誤りの可能性が高い場合にはＤＴＭＦ符号化部１１を選択することで確実にＤＴＭＦ信号を伝送することができる高品質な伝送を実現でき、また伝送路上での伝送誤りの可能性が低い場合には第１の音声／ＤＴＭＦ符号化部２１を選択し、さらに伝送路上での伝送誤りの可能性が更に低い場合には第２の音声／ＤＴＭＦ符号化部２２を選択制御することで、ＤＴＭＦ信号を誤検出した場合でもＤＴＭＦ信号は音声信号と同様に伝送されるため、通話者に対して不快感を与えることの無い、より高品質な伝送を実現できる効果が得られる。
【０１１２】
実施の形態２６．
図２６はこの発明の実施の形態２６による音声伝送装置の構成を示すものであり、図において、８は音声伝送装置の入力端子、９は音声伝送装置の出力端子、１０は音声信号の音声符号化処理を行う音声符号化部である。１１はＤＴＭＦ信号の符号化処理を行うＤＴＭＦ符号化部、２１は音声信号およびＤＴＭＦ信号の符号化処理を行う第１の音声／ＤＴＭＦ符号化部、２２は音声信号およびＤＴＭＦ信号の符号化処理を行う第２の音声／ＤＴＭＦ符号化部である。ここで、第２の音声／ＤＴＭＦ符号化部２２は第１の音声／ＤＴＭＦ符号化部２１よりも符号化速度が高く高品質な符号化データを出力する符号化部とする。１２は入力された信号がＤＴＭＦ信号であるか否かを検出・判定するＤＴＭＦ検出部である。６１は自装置内の輻輳状態を監視して、その輻輳状態の検出レベルに応じてＤＴＭＦ信号の伝送にＤＴＭＦ符号化部１１、第１の音声／ＤＴＭＦ符号化部２１および第２の音声／ＤＴＭＦ符号化部２２のいずれを用いるかを選択制御する制御信号を出力する伝送路品質監視部である。２５は装置輻輳状態監視部６１からの指示によりＤＴＭＦ符号化部１１の出力、第１の音声／ＤＴＭＦ符号化部２１の出力および第２の音声／ＤＴＭＦ符号化部２２の出力のいずれかを選択して出力するセレクタである。１３はＤＴＭＦ検出部１２からの指示により音声符号化部１０の出力またはセレクタ２５の出力を選択するセレクタである。
【０１１３】
次に動作について説明する。
入力端子８に信号が入力されると、音声符号化部１０において音声信号が音声符号化処理される。また、ＤＴＭＦ符号化部１１では、ＤＴＭＦの音声信号はＤＴＭＦの数値にデコード処理され、さらに第１の音声／ＤＴＭＦ符号化部２１および第２の音声／ＤＴＭＦ符号化部２２では、ＤＴＭＦの音声信号が音声信号として音声符号化処理される。
装置輻輳状態監視部６１は、自装置内の輻輳状態を監視して、装置輻輳状態の検出レベルがある閾値Ａよりも高ければ、伝送路上に出力されずに廃棄されるデータが多いと判断して伝送品質の劣化に対して耐性がより強いＤＴＭＦ符号化部１１の出力を選択するようにセレクタ２５を制御する。また装置輻輳状態の検出レベルがある閾値Ａよりも低くある閾値Ｂよりも高ければ、ＤＴＭＦ信号の誤検出にも通話者に対して不快感を与えることが無く第２の音声／ＤＴＭＦ符号化部２２よりの発生データ量が少ないため、伝送品質の劣化の影響を受ける可能性が第２の音声／ＤＴＭＦ符号化部２２よりも低い第１の音声／ＤＴＭＦ符号化部２１の出力を選択するようにセレクタ２５を制御する。また装置輻輳状態がある閾値Ｂよりも低ければ、ＤＴＭＦ信号の誤検出にも通話者に対して不快感を与えることの無い第２の音声／ＤＴＭＦ符号化部２２の出力を選択するようにセレクタ２５を制御する。ここで、閾値Ａは閾値Ｂよりも輻輳状態が高く伝送品質が悪い値とする。
一方、ＤＴＭＦ検出部１２において、入力信号がＤＴＭＦ信号ではないと判定された場合、セレクタ１３にて音声符号化部１０の出力が選択され、音声符号化部１０において音声符号化処理された信号が伝送路側（出力端子）９に出力される。また、ＤＴＭＦ検出部１２において、入力信号がＤＴＭＦ信号であると判定された場合、セレクタ１３にてセレクタ２５のＤＴＭＦ信号出力が選択され伝送路側（出力端子）９に出力される。すなわち、このときのＤＴＭＦ信号出力は、ＤＴＭＦ符号化部１１において符号化処理されたＤＴＭＦ信号、第１の音声／ＤＴＭＦ符号化部２１において音声符号化処理されたＤＴＭＦ信号および第２の音声／ＤＴＭＦ符号化部２２において音声符号化処理されたＤＴＭＦ信号のいずれかとなる。
【０１１４】
以上のように、この実施の形態２６によれば、実施の形態２のＤＴＭＦ伝送制御部２３として装置輻輳状態監視部６１を用いたので、自装置内での輻輳状態によって伝送品質が劣化する可能性が高い場合には、ＤＴＭＦ符号化部１１を選択することで、確実にＤＴＭＦ信号を伝送することができる高品質な伝送を実現できる。また自装置内での輻輳状態によって伝送品質が劣化する可能性が低い場合には、第１の音声／ＤＴＭＦ符号化部２１を選択し、自装置内での輻輳状態によって伝送品質が劣化する可能性が更に低い場合には、第２の音声／ＤＴＭＦ符号化部２２を選択制御することで、ＤＴＭＦ信号を誤検出した場合でもＤＴＭＦ信号は音声信号と同様に伝送されるため、通話者に対して不快感を与えることの無い、より高品質な伝送を実現できる効果が得られる。
【０１１５】
【発明の効果】
以上のように、この発明によれば、ＤＴＭＦ信号および音声信号を符号化して伝送する音声伝送装置において、入力した音声信号に対して音声符号化処理を行う音声符号化処理手段と、入力したＤＴＭＦ信号に対して符号化処理を行うＤＴＭＦ符号化処理手段と、入力した音声信号およびＤＴＭＦ信号に対して音声符号化処理を行う音声／ＤＴＭＦ符号化処理手段と、ＤＴＭＦ符号化処理手段で符号化処理されたＤＴＭＦ信号または音声／ＤＴＭＦ符号化処理手段で音声符号化処理されたＤＴＭＦ信号を選択する第１のセレクタと、入力信号や伝送路の品質、自装置の輻輳あるいは呼接続等の状態を監視しその状態に応じて第１のセレクタの選択動作を制御するＤＴＭＦ伝送制御処理手段と、入力した信号に対してＤＴＭＦ信号であることを検出するＤＴＭＦ検出手段と、このＤＴＭＦ検出手段が入力した信号をＤＴＭＦ信号ではないと判定した場合に音声符号化処理手段の出力を選択し、ＤＴＭＦ検出手段が入力した信号をＤＴＭＦ信号であると判定した場合に第１のセレクタの選択出力信号を選択する第２のセレクタとを備えるように構成したので、ＤＴＭＦ伝送手段を適切に選択制御し、通話中にＤＴＭＦ信号を誤検出した場合でも通話者に対して不快感を与えることなく、かつ、真にＤＴＭＦが伝送される場合でも確実にＤＴＭＦ信号を伝送することを可能とする高品質な伝送を実現できる効果がある。
【０１１６】
この発明によれば、音声／ＤＴＭＦ符号化処理手段が、音声符号化処理手段における音声符号化速度よりも符号化速度は高いが、音声信号およびＤＴＭＦ信号をいずれも音声符号化処理するように構成したので、ＤＴＭＦ伝送手段を適切に選択制御し、通話中にＤＴＭＦ信号を誤検出した場合でも通話者に対して不快感を与えることなく、かつ、真にＤＴＭＦが伝送される場合でも確実にＤＴＭＦ信号を伝送することを可能とする高品質な伝送を実現できる効果がある。
【０１１７】
この発明によれば、音声／ＤＴＭＦ符号化処理手段が、音声符号化処理手段における音声符号化速度と符号化速度は同じであるが、ＤＴＭＦ信号に特化した符号化アルゴリズムを持ち、音声品質としては劣るがＤＴＭＦ信号符号化処理するように構成したので、ＤＴＭＦ伝送手段を適切に選択制御し、通話中にＤＴＭＦ信号を誤検出した場合でも通話者に対して不快感を与えることなく、かつ、真にＤＴＭＦが伝送される場合でも確実にＤＴＭＦ信号を伝送することを可能とする高品質な伝送を実現できる効果がある。
【０１１８】
この発明によれば、ＤＴＭＦ伝送制御処理手段が、呼の接続状態を監視してその呼の接続状態に応じてＤＴＭＦ信号の伝送にＤＴＭＦ符号化部および音声／ＤＴＭＦ符号化部のいずれの出力を用いるか第１のセレクタを制御する呼接続状態監視制御手段であるように構成したので、通話中には音声／ＤＴＭＦ符号化処理手段を選択することでＤＴＭＦ信号を誤検出した場合でもＤＴＭＦ信号は音声信号と同様に伝送されるため、通話者に対して不快感を与えることなく、かつ、呼接続シーケンス中に真にＤＴＭＦが伝送される場合にはＤＴＭＦ符号化処理手段を選択しＤＴＭＦ信号をデコード伝送するため、確実にＤＴＭＦ信号を伝送する高品質な伝送を実現できる効果がある。
【０１１９】
この発明によれば、呼接続状態監視制御手段が、送信側シグナリング信号であるＳＳシグナリング情報を監視してそのＳＳシグナリング状態に応じてＤＴＭＦ信号の伝送にＤＴＭＦ符号化処理手段および音声／ＤＴＭＦ符号化処理手段のいずれを用いるか第１のセレクタを制御するＳＳ状態監視制御手段であるように構成したので、通話中には音声／ＤＴＭＦ符号化処理手段を選択制御することでＤＴＭＦ信号を誤検出した場合でも、ＤＴＭＦ信号は音声信号と同様に伝送されるため通話者に対して不快感を与えることなく、かつ、呼接続シーケンス中の真にＤＴＭＦが伝送される場合には、ＤＴＭＦ符号化処理手段を選択制御することでＤＴＭＦ信号をデコード伝送するので、確実にＤＴＭＦ信号を伝送する高品質な伝送を実現できる効果がある。
【０１２０】
この発明によれば、呼接続状態監視制御手段が、受信側シグナリング信号であるＳＲシグナリング情報を監視してそのＳＲシグナリングの状態に応じてそのＳＲシグナリングの状態によってＤＴＭＦ信号の伝送にＤＴＭＦ符号化処理手段および音声／ＤＴＭＦ符号化処理手段のいずれを用いるか第１のセレクタを制御するＳＲ状態監視制御手段であるように構成したので、通話中には音声／ＤＴＭＦ符号化処理手段を選択制御することでＤＴＭＦ信号を誤検出した場合でもＤＴＭＦ信号は音声信号と同様に伝送されるため通話者に対して不快感を与えることなく、かつ、呼接続シーケンス中の真にＤＴＭＦが伝送される場合には、ＤＴＭＦ符号化処理手段を選択制御することでＤＴＭＦ信号をデコード伝送するので、確実にＤＴＭＦ信号を伝送することができる高品質な伝送を実現できる効果がある。
【０１２１】
この発明によれば、呼接続状態監視制御手段が、共通線シグナリング信号であるＳＳ７シグナリング情報を監視してそのＳＳ７シグナリングの状態によってＤＴＭＦ信号の伝送にＤＴＭＦ符号化処理手段および音声／ＤＴＭＦ符号化処理手段のいずれを用いるか第１のセレクタを制御するＳＳ７状態監視制御手段であるように構成したので、通話中には音声／ＤＴＭＦ符号化処理手段を選択制御することでＤＴＭＦ信号を誤検出した場合でもＤＴＭＦ信号は音声信号と同様に伝送されるため通話者に対して不快感を与えることなく、かつ、呼接続シーケンス中の真にＤＴＭＦが伝送される場合にはＤＴＭＦ符号化処理手段を選択制御することでＤＴＭＦ信号をデコード伝送し、確実にＤＴＭＦ信号を伝送する高品質な伝送システムを実現できる効果がある。
【０１２２】
この発明によれば、ＤＴＭＦ伝送制御処理手段が、入力される音声信号やＤＴＭＦ信号の品質を監視してその品質に応じてＤＴＭＦ信号の伝送にＤＴＭＦ符号化処理手段および音声／ＤＴＭＦ符号化処理手段のいずれを用いるか第１のセレクタを制御する入力信号品質監視制御手段であるように構成したので、ＤＴＭＦの誤検出の可能性が高い場合には音声／ＤＴＭＦ符号化処理手段を選択制御することでＤＴＭＦ信号を誤検出した場合でもＤＴＭＦ信号は音声信号と同様に伝送され、通話者に対して不快感を与えることなく、かつ、確実にＤＴＭＦ信号を伝送する高品質な伝送システムを実現できる効果がある。
【０１２３】
この発明によれば、入力信号品質監視制御手段が、入力される信号のＳＮ比を監視してそのＳＮ比に応じてＤＴＭＦ信号の伝送にＤＴＭＦ符号化処理手段および音声／ＤＴＭＦ符号化処理手段のいずれを用いるか第１のセレクタを制御するＳＮ比監視制御手段であるように構成したので、ＤＴＭＦの誤検出の可能性が高い場合には音声／ＤＴＭＦ符号化処理手段を選択制御することで、ＤＴＭＦ信号を誤検出した場合でもＤＴＭＦ信号は音声信号と同様に伝送され通話者に対して不快感を与えることなく、かつ、確実にＤＴＭＦ信号を伝送するので高品質な伝送システムを実現できる効果がある。
【０１２４】
この発明によれば、入力信号品質監視制御手段が、入力されるＤＴＭＦ信号のツイスト歪みを監視してそのツイスト歪みに応じてＤＴＭＦ符号化処理手段および音声／ＤＴＭＦ符号化処理手段のいずれを用いるか第１のセレクタを制御するツイスト歪み監視制御手段であるように構成したので、ＤＴＭＦの誤検出の可能性が高い場合には音声／ＤＴＭＦ符号化処理手段を選択制御することで、ＤＴＭＦ信号を誤検出した場合でもＤＴＭＦ信号は音声信号と同様に伝送され、通話者に対して不快感を与えることなく、かつ、確実にＤＴＭＦ信号を伝送するので高品質な伝送システムを実現できる効果がある。
【０１２５】
この発明によれば、入力信号品質監視制御手段が、入力される信号のパワーを監視し、その信号のパワーに応じてＤＴＭＦ信号の伝送にＤＴＭＦ符号化処理手段および音声／ＤＴＭＦ符号化部処理手段のいずれを用いるか選択する第１のセレクタを制御する信号パワー監視制御手段であるように構成したので、ＤＴＭＦの誤検出の可能性が高い場合には音声／ＤＴＭＦ符号化処理手段を選択制御することで、ＤＴＭＦ信号を誤検出した場合でもＤＴＭＦ信号は音声信号と同様に伝送され、通話者に対して不快感を与えることなく、かつ、確実にＤＴＭＦ信号を伝送するので高品質な伝送システムを実現できる効果がある。
【０１２６】
この発明によれば、ＤＴＭＦ伝送制御処理手段が、伝送路回線の伝送品質を監視してその伝送路品質に応じてＤＴＭＦ信号の伝送にＤＴＭＦ符号化処理手段および音声／ＤＴＭＦ符号化処理手段のいずれを用いるか選択する第１のセレクタを制御する伝送路品質監視制御手段であるように構成したので、伝送路上での伝送誤りの可能性が高い場合にはＤＴＭＦ符号化処理手段を選択することで確実にＤＴＭＦ信号を伝送することができる高品質な伝送を実現できる。また伝送路上での伝送誤りの可能性が低い場合には音声／ＤＴＭＦ符号化処理手段を選択制御することでＤＴＭＦ信号を誤検出した場合でもＤＴＭＦ信号は音声信号と同様に伝送されるため、通話者に対して不快感を与えることの無い高品質な伝送を実現できる効果がある。
【０１２７】
この発明によれば、伝送路品質監視制御手段が、伝送路回線のデータ誤り率を監視してそのデータ誤り率に応じてＤＴＭＦ信号の伝送にＤＴＭＦ符号化処理手段および音声／ＤＴＭＦ符号化処理手段のいずれを用いるか選択する第１のセレクタを制御するデータ誤り率監視制御手段であるように構成したので、伝送路上でのデータ誤りの可能性が高い場合にはＤＴＭＦ符号化処理手段を選択することで確実にＤＴＭＦ信号を伝送することができる高品質な伝送を実現できる。また伝送路上でのデータ誤りの可能性が低い場合には音声／ＤＴＭＦ符号化処理手段を選択制御することで、ＤＴＭＦ信号を誤検出した場合でもＤＴＭＦ信号は音声信号と同様に伝送されるため通話者に対して不快感を与えることの無い高品質な伝送を実現できる効果がある。
【０１２８】
この発明によれば、伝送路品質監視制御手段が、伝送路回線のＩＰパケットの損失率を監視してその損失率に応じてＤＴＭＦ信号の伝送にＤＴＭＦ符号化処理手段および音声／ＤＴＭＦ符号化処理手段のいずれを用いるか選択する第１のセレクタを制御するＩＰパケット損失率監視制御手段であるように構成したので、伝送路上でのＩＰパケット損失の可能性が高い場合にはＤＴＭＦ符号化処理手段を選択することで、確実にＤＴＭＦ信号を伝送することができる高品質な伝送を実現できる。また伝送路上でのＩＰパケット損失の可能性が低い場合には音声／ＤＴＭＦ符号化処理手段を選択制御することで、ＤＴＭＦ信号を誤検出した場合でもＤＴＭＦ信号は音声信号と同様に伝送されるため、通話者に対して不快感を与えることの無い高品質な伝送を実現できる効果がある。
【０１２９】
この発明によれば、伝送路品質監視制御手段が、伝送路回線のＩＰパケットの到着揺らぎ量を監視してその到着揺らぎ量に応じてＤＴＭＦ信号の伝送にＤＴＭＦ符号化処理手段および音声／ＤＴＭＦ符号化処理手段のいずれを用いるか選択する第１のセレクタを制御するＩＰパケット揺らぎ量監視制御手段であるように構成したので、伝送路上でのＩＰパケットの到着揺らぎ量によりパケット損失と扱われる可能性が高い場合にはＤＴＭＦ符号化処理手段を選択することで、確実にＤＴＭＦ信号を伝送することができる高品質な伝送を実現できる。また伝送路上でのＩＰパケットの到着揺らぎ量によりパケット損失と扱われる可能性が低い場合には音声／ＤＴＭＦ符号化処理手段を選択制御することで、ＤＴＭＦ信号を誤検出した場合でもＤＴＭＦ信号は音声信号と同様に伝送されるため通話者に対して不快感を与えることの無い高品質な伝送を実現できる効果がある。
【０１３０】
この発明によれば、伝送路品質監視制御手段が、伝送路回線のＡＴＭセル損失率を監視してそのＡＴＭセル損失率に応じてＤＴＭＦ信号の伝送にＤＴＭＦ符号化処理手段および音声／ＤＴＭＦ符号化処理手段のいずれを用いるか選択する第１のセレクタを制御するＡＴＭセル損失率監視制御手段であるように構成したので、伝送路上でのＡＴＭセル損失の可能性が高い場合にはＤＴＭＦ符号化処理手段を選択することで、実にＤＴＭＦ信号を伝送することができる高品質な伝送を実現できる。またＡＴＭセル損失の可能性が低い場合には音声／ＤＴＭＦ符号化処理手段を選択制御することで、ＤＴＭＦ信号を誤検出した場合でもＤＴＭＦ信号は音声信号と同様に伝送されるため、通話者に対して不快感を与えることの無い高品質な伝送を実現できる効果がある。
【０１３１】
この発明によれば、伝送路品質監視制御手段が、伝送路回線のＡＴＭセル損失率を監視し、伝送路回線のＡＴＭセルの到着揺らぎ量を監視してそのＡＴＭセルの到着揺らぎ量に応じてＤＴＭＦ信号の伝送にＤＴＭＦ符号化処理手段および音声／ＤＴＭＦ符号化処理手段のいずれを用いるか選択する第１のセレクタを制御するＡＴＭセル揺らぎ監視制御手段であるように構成したので、伝送路上でのＡＴＭセルの到着揺らぎ量によりセル損失と扱われる可能性が高い場合にはＤＴＭＦ符号化処理手段を選択することで、確実にＤＴＭＦ信号を伝送することができる高品質な伝送を実現できる。また伝送路上でのＡＴＭセルの到着揺らぎ量によりセル損失と扱われる可能性が低い場合には音声／ＤＴＭＦ符号化処理手段を選択制御することで、ＤＴＭＦ信号を誤検出した場合でもＤＴＭＦ信号は音声信号と同様に伝送されるため、通話者に対して不快感を与えることの無い高品質な伝送を実現できる効果ある。
【０１３２】
この発明によれば、ＤＴＭＦ伝送制御処理手段が、装置内の輻輳状態を監視して、その輻輳状態に応じてＤＴＭＦ信号の伝送にＤＴＭＦ符号化処理手段および音声／ＤＴＭＦ符号化処理手段のいずれを用いるか選択する第１のセレクタを制御する装置輻輳状態監視制御手段であるように構成したので、自装置内での輻輳状態によって伝送品質が劣化する可能性が高い場合にはＤＴＭＦ符号化処理手段を選択することで、確実にＤＴＭＦ信号を伝送することができる高品質な伝送を実現できる。また自装置内での輻輳状態によって伝送品質が劣化する可能性が低い場合には音声／ＤＴＭＦ符号化処理手段を選択制御することで、ＤＴＭＦ信号を誤検出した場合でもＤＴＭＦ信号は音声信号と同様に伝送されるため、通話者に対して不快感を与えることの無い高品質な伝送を実現できる効果がある。
【０１３３】
この発明によれば、装置輻輳状態監視制御手段が、伝送すべき音声信号の自装置内の輻輳による締め出し率を監視してその締め出し率に応じてＤＴＭＦ信号の伝送にＤＴＭＦ符号化処理手段および音声／ＤＴＭＦ符号化処理手段のいずれを用いるか選択する第１のセレクタを制御する締め出し率監視制御手段であるように構成したので、ＤＣＭＥのように自装置内での輻輳状態を示す締め出し率を監視して伝送品質が劣化する可能性が高い場合にはＤＴＭＦ符号化処理手段を選択することで、確実にＤＴＭＦ信号を伝送することができる高品質な伝送を実現できる。また伝送品質が劣化する可能性が低い場合には音声／ＤＴＭＦ符号化処理手段を選択制御することで、ＤＴＭＦ信号を誤検出した場合でもＤＴＭＦ信号は音声信号と同様に伝送されるため通話者に対して不快感を与えることの無い高品質な伝送を実現できる効果がある。
【０１３４】
この発明によれば、装置輻輳状態監視制御手段が、ＩＰパケットの装置内でのＩＰパケット廃棄率を監視してそのＩＰパケット廃棄率に応じてＤＴＭＦ信号の伝送にＤＴＭＦ符号化処理手段および音声／ＤＴＭＦ符号化処理手段のいずれを用いるか選択する第１のセレクタを制御するＩＰパケット廃棄率監視制御手段であるように構成したので、自装置内での輻輳状態を示すＩＰパケット廃棄率を監視して、伝送品質が劣化する可能性が高い場合にはＤＴＭＦ符号化処理手段を選択することで、確実にＤＴＭＦ信号を伝送できる高品質な伝送システムを実現できる。また伝送品質が劣化する可能性が低い場合には音声／ＤＴＭＦ符号化処理手段を選択制御することで、ＤＴＭＦ信号を誤検出した場合でもＤＴＭＦ信号は音声信号と同様に伝送されるため通話者に対して不快感を与えることの無い高品質な伝送を実現できる効果がある。
【０１３５】
この発明によれば、装置輻輳状態監視制御手段が、ＡＴＭセルの装置内での廃棄率を監視してそのＡＴＭセル廃棄率に応じてＤＴＭＦ信号の伝送にＤＴＭＦ符号化処理手段および音声／ＤＴＭＦ符号化処理手段のいずれを用いるか選択する第１のセレクタを制御するＡＴＭセル廃棄率監視制御手段であるように構成したので、自装置内での輻輳状態を示すＡＴＭセル廃棄率を監視して、伝送品質が劣化する可能性が高い場合にはＤＴＭＦ符号化処理手段を選択することで、確実にＤＴＭＦ信号を伝送することができる高品質な伝送を実現できる。また伝送品質が劣化する可能性が低い場合には音声／ＤＴＭＦ符号化処理手段を選択制御することで、ＤＴＭＦ信号を誤検出した場合でもＤＴＭＦ信号は音声信号と同様に伝送されるため通話者に対して不快感を与えることの無い高品質な伝送を実現できる効果がある。
【０１３６】
この発明によれば、ＤＴＭＦ信号および音声信号を符号化して伝送する音声伝送装置において、入力した音声信号に対して音声符号化処理を行う音声符号化処理手段と、入力したＤＴＭＦ信号に対して符号化処理を行うＤＴＭＦ符号化処理手段と、入力した音声信号およびＤＴＭＦ信号に対して音声符号化処理を行う第１の音声／ＤＴＭＦ符号化処理手段と、入力した音声信号およびＤＴＭＦ信号に対して音声符号化処理を行い第１の音声／ＤＴＭＦ符号化処理手段よりも符号化速度が高く高品質な符号化データを出力する第２の音声／ＤＴＭＦ符号化処理手段と、ＤＴＭＦ符号化処理手段で符号化処理されたＤＴＭＦ信号、第１の音声／ＤＴＭＦ符号化処理手段で音声符号化処理されたＤＴＭＦ信号および第２の音声／ＤＴＭＦ符号化処理手段で音声符号化処理されたＤＴＭＦ信号のうちのいずれかを選択する第１のセレクタと、入力信号や伝送路の品質、自装置の輻輳あるいは呼接続等の状態を監視しその状態に応じて第１のセレクタの選択動作を制御するＤＴＭＦ伝送制御手段と、入力した信号に対してＤＴＭＦ信号であることを検出するＤＴＭＦ検出手段と、このＤＴＭＦ検出手段が入力した信号をＤＴＭＦ信号ではないと判定した場合に音声符号化処理手段出力を選択し、ＤＴＭＦ検出手段が入力した信号をＤＴＭＦ信号であると判定した場合に第１のセレクタの選択出力信号を選択する第２のセレクタとを備えるように構成したので、ＤＴＭＦ伝送手段を適切に選択制御することで通話中にＤＴＭＦ信号を誤検出した場合でも通話者に対して不快感を与えることなく、かつ、真にＤＴＭＦが伝送される場合でも確実にＤＴＭＦ信号を伝送可能とする高品質な伝送を実現できる効果がある。
【０１３７】
この発明によれば、ＤＴＭＦ伝送制御処理手段が、伝送路回線の伝送品質を監視しその伝送路品質に応じて第１の音声／ＤＴＭＦ符号化処理手段の出力または第２の音声／ＤＴＭＦ符号化処理手段の出力を第１ステップで選択するように第１のセレクタを制御する伝送路品質監視制御手段と、呼の接続状態を監視しその呼の接続状態に応じてＤＴＭＦ信号の伝送にＤＴＭＦ符号化処理手段の出力または第１ステップで選択された第１あるいは第２の音声／ＤＴＭＦ符号化処理手段の出力を第２ステップで選択するように第１のセレクタを制御する呼接続状態監視制御手段とからなるように構成したので、通話中には第１の音声／ＤＴＭＦ符号化処理手段または第２の音声／ＤＴＭＦ符号化処理手段を選択制御することで、ＤＴＭＦ信号を誤検出した場合でもＤＴＭＦ信号は音声信号と同様に伝送されるため、通話者に対して不快感を与えることなく、かつ呼接続シーケンス中の真にＤＴＭＦが伝送される場合にはＤＴＭＦ符号化処理手段を選択制御することで、ＤＴＭＦ信号をデコード伝送するため確実にＤＴＭＦ信号を伝送することができる高品質な伝送を実現できる。また、伝送路上での伝送誤りの可能性が高い場合には伝送路上に出力するデータ量がより低く誤りを受け難い第１の音声／ＤＴＭＦ符号化処理手段を選択することで、より確実にＤＴＭＦ信号を伝送することができ、伝送路上での伝送誤りの可能性が低い場合には第２の音声／ＤＴＭＦ符号化処理手段を選択制御することでより高品質な伝送を実現できる効果がある。
【０１３８】
この発明によれば、ＤＴＭＦ伝送制御処理手段が、装置内の輻輳状態を監視しその輻輳状態に応じて第１の音声／ＤＴＭＦ符号化処理手段の出力または第２の音声／ＤＴＭＦ符号化処理手段の出力を第１ステップで選択するように第１のセレクタを制御する装置輻輳状態監視制御手段と、呼の接続状態を監視しその呼の接続状態に応じてＤＴＭＦ信号の伝送にＤＴＭＦ符号化処理手段の出力または第１ステップで選択された第１あるいは第２の音声／ＤＴＭＦ符号化処理手段の出力を第２ステップで選択するように第１のセレクタを制御する呼接続状態監視制御手段とからなるように構成したので、通話中には第１の音声／ＤＴＭＦ符号化処理手段または第２の音声／ＤＴＭＦ符号化処理手段を選択制御することで、ＤＴＭＦ信号を誤検出した場合でもＤＴＭＦ信号は音声信号と同様に伝送されるため通話者に対して不快感を与えることはなく、かつ呼接続シーケンス中の真にＤＴＭＦが伝送される場合にはＤＴＭＦ符号化処理手段を選択制御することでＤＴＭＦ信号をデコード伝送するため確実にＤＴＭＦ信号を伝送することができる高品質な伝送を実現できる。また、自装置内での輻輳状態が高く出力すべきデータが廃棄される可能性が高い場合には装置内で発生するデータ量がより低く誤りを受け難い第１の音声／ＤＴＭＦ符号化処理手段を選択することで、より確実にＤＴＭＦ信号を伝送することができ、輻輳状態が低く出力すべきデータが廃棄される可能性が低い場合には第２の音声／ＤＴＭＦ符号化処理手段を選択制御することでより高品質な伝送を実現できる効果がある。
【０１３９】
この発明によれば、ＤＴＭＦ伝送制御処理手段が、伝送路回線の伝送品質を監視しその伝送路品質に応じて第１の音声／ＤＴＭＦ符号化処理手段の出力または第２の音声／ＤＴＭＦ符号化処理手段の出力を第１ステップで選択するように第１のセレクタを制御する伝送路品質監視制御手段と、入力される音声信号やＤＴＭＦ信号の品質を監視しその品質に応じてＤＴＭＦ信号の伝送にＤＴＭＦ符号化処理手段の出力または第１ステップで選択された第１あるいは第２の音声／ＤＴＭＦ符号化処理手段の出力を第２ステップで選択するように第１のセレクタを制御する入力信号品質監視制御手段とからなるように構成したので、ＤＴＭＦの誤検出の可能性が高い場合には第１の音声／ＤＴＭＦ符号化処理手段または第２の音声／ＤＴＭＦ符号化処理手段を選択制御することで、ＤＴＭＦ信号を誤検出した場合でもＤＴＭＦ信号は音声信号と同様に伝送されるため、通話者に対して不快感を与えることなく、かつ、確実にＤＴＭＦ信号を伝送することができる高品質な伝送を実現できる。また、伝送路上での伝送誤りの可能性が高い場合には伝送路上に出力するデータ量がより低く誤りを受け難い第１の音声／ＤＴＭＦ符号化処理手段を選択することで、より確実にＤＴＭＦ信号を伝送することができ、伝送路上での伝送誤りの可能性が低い場合には第２の音声／ＤＴＭＦ符号化処理手段を選択制御することでより高品質な伝送を実現できる効果がある。
【０１４０】
この発明によれば、ＤＴＭＦ伝送制御処理手段が、装置内の輻輳状態を監視しその輻輳状態に応じて第１の音声／ＤＴＭＦ符号化処理手段の出力または第２の音声／ＤＴＭＦ符号化処理手段の出力を第１ステップで選択するように第１のセレクタを制御する装置輻輳状態監視制御手段と、入力される音声信号やＤＴＭＦ信号の品質を監視しその品質に応じてＤＴＭＦ信号の伝送にＤＴＭＦ符号化処理手段の出力または第１ステップで選択された第１あるいは第２の音声／ＤＴＭＦ符号化処理手段の出力を第２ステップで選択するように第１のセレクタを制御する入力信号品質監視制御手段とからなるように構成したので、ＤＴＭＦの誤検出の可能性が高い場合には第１の音声／ＤＴＭＦ符号化処理手段または第２の音声／ＤＴＭＦ符号化処理手段を選択制御することで、ＤＴＭＦ信号を誤検出した場合でもＤＴＭＦ信号は音声信号と同様に伝送されるため、通話者に対して不快感を与えることがなく、かつ、確実にＤＴＭＦ信号を伝送することができる高品質な伝送を実現できる。また、自装置内での輻輳状態が高く出力すべきデータが廃棄される可能性が高い場合には装置内で発生するデータ量がより低く誤りを受け難い第１の音声／ＤＴＭＦ符号化処理手段を選択することで、より確実にＤＴＭＦ信号を伝送することができ、輻輳状態が低く出力すべきデータが廃棄される可能性が低い場合には第２の音声／ＤＴＭＦ符号化処理手段を選択制御することでより高品質な伝送を実現できる効果がある。
【０１４１】
この発明によれば、ＤＴＭＦ伝送制御処理手段が、伝送路回線の伝送品質を監視しその伝送品質の検出レベルに応じて第１の音声／ＤＴＭＦ符号化処理手段の出力、第２の音声／ＤＴＭＦ符号処理化手段の出力およびＤＴＭＦ符号化処理手段の出力のうちからいずれかを選択するように第１のセレクタを制御する伝送路品質監視制御手段であるように構成したので、伝送路上での伝送誤りの可能性が高い場合にはＤＴＭＦ符号化処理手段を選択することで確実にＤＴＭＦ信号を伝送することができる高品質な伝送を実現でき、また伝送路上での伝送誤りの可能性が低い場合には第１の音声／ＤＴＭＦ符号化処理手段を選択し、さらに伝送路上での伝送誤りの可能性が更に低い場合には第２の音声／ＤＴＭＦ符号化処理手段を選択制御することで、ＤＴＭＦ信号を誤検出した場合でもＤＴＭＦ信号は音声信号と同様に伝送されるため、通話者に対して不快感を与えることの無い、より高品質な伝送を実現できる効果がある。
【０１４２】
この発明によれば、ＤＴＭＦ伝送制御処理手段が、装置内の輻輳状態を監視しその輻輳状態の検出レベルに応じて第１の音声／ＤＴＭＦ符号化処理手段の出力、第２の音声／ＤＴＭＦ符号処理化手段の出力およびＤＴＭＦ符号化処理手段の出力のうちからいずれかを選択するように第１のセレクタを制御する装置輻輳状態監視制御手段であるように構成したので、自装置内での輻輳状態によって伝送品質が劣化する可能性が高い場合には、ＤＴＭＦ符号化処理手段を選択することで、確実にＤＴＭＦ信号を伝送することができる高品質な伝送を実現できる。また自装置内での輻輳状態によって伝送品質が劣化する可能性が低い場合には、第１の音声／ＤＴＭＦ符号化処理手段を選択し、自装置内での輻輳状態によって伝送品質が劣化する可能性が更に低い場合には、第２の音声／ＤＴＭＦ符号化処理手段を選択制御することで、ＤＴＭＦ信号を誤検出した場合でもＤＴＭＦ信号は音声信号と同様に伝送されるため、通話者に対して不快感を与えることの無い、より高品質な伝送を実現できる効果がある。
【図面の簡単な説明】
【図１】  この発明の実施の形態１による音声伝送装置の構成を示すブロック図である。
【図２】  この発明の実施の形態２による音声伝送装置の構成を示すブロック図である。
【図３】  この発明の実施の形態３による音声伝送装置の構成を示すブロック図である。
【図４】  この発明の実施の形態４による音声伝送装置の構成を示すブロック図である。
【図５】  この発明の実施の形態５による音声伝送装置の構成を示すブロック図である。
【図６】  この発明の実施の形態６による音声伝送装置の構成を示すブロック図である。
【図７】  この発明の実施の形態７による音声伝送装置の構成を示すブロック図である。
【図８】  この発明の実施の形態８による音声伝送装置の構成を示すブロック図である。
【図９】  この発明の実施の形態９による音声伝送装置の構成を示すブロック図である。
【図１０】  この発明の実施の形態１０による音声伝送装置の構成を示すブロック図である。
【図１１】  この発明の実施の形態１１による音声伝送装置の構成を示すブロック図である。
【図１２】  この発明の実施の形態１２による音声伝送装置の構成を示すブロック図である。
【図１３】  この発明の実施の形態１３による音声伝送装置の構成を示すブロック図である。
【図１４】  この発明の実施の形態１４による音声伝送装置の構成を示すブロック図である。
【図１５】  この発明の実施の形態１５による音声伝送装置の構成を示すブロック図である。
【図１６】  この発明の実施の形態１６による音声伝送装置の構成を示すブロック図である。
【図１７】  この発明の実施の形態１７による音声伝送装置の構成を示すブロック図である。
【図１８】  この発明の実施の形態１８による音声伝送装置の構成を示すブロック図である。
【図１９】  この発明の実施の形態１９による音声伝送装置の構成を示すブロック図である。
【図２０】  この発明の実施の形態２０による音声伝送装置の構成を示すブロック図である。
【図２１】  この発明の実施の形態２１による音声伝送装置の構成を示すブロック図である。
【図２２】  この発明の実施の形態２２による音声伝送装置の構成を示すブロック図である。
【図２３】  この発明の実施の形態２３による音声伝送装置の構成を示すブロック図である。
【図２４】  この発明の実施の形態２４による音声伝送装置の構成を示すブロック図である。
【図２５】  この発明の実施の形態２５による音声伝送装置の構成を示すブロック図である。
【図２６】  この発明の実施の形態２６による音声伝送装置の構成を示す構成図である。
【図２７】  従来の音声伝送装置の構成を示すブロック図である。
【図２８】  従来の音声符号化装置の構成を示すブロック図である。
【符号の説明】
８  入力端子、９  出力端子、１０  音声符号化部、１１  ＤＴＭＦ符号化部、１２  ＤＴＭＦ検出部、１３  セレクタ、２０  音声／ＤＴＭＦ符号化部、２１  第１の音声／ＤＴＭＦ符号化部、２２  第２の音声／ＤＴＭＦ符号化部、２３  ＤＴＭＦ伝送制御部、２４  セレクタ、２５  セレクタ、２６  セレクタ、２７  セレクタ、３１  呼接続状態監視部、３２  ＳＳ状態監視部、３３  ＳＲ状態監視部、３４  ＳＳ７状態監視部、４１  入力信号品質監視部、４２  ＳＮ比監視部、４３  ツイスト歪み監視部、４４  信号パワー監視部、５１  伝送路品質監視部、５２  データ誤り率監視部、５３  ＩＰパケット損失率監視部、５４  ＩＰパケット揺らぎ監視部、５５  ＡＴＭセル損失率監視部、５６  ＡＴＭセル揺らぎ監視部、６１  装置輻輳状態監視部、６２  締め出し率監視部、６３ＩＰパケット廃棄率監視部、６４  ＡＴＭセル廃棄率監視部、１１１  入力端子、１１２  ＤＴＭＦ検出回路、１１２ａ  切替回路、１１３  ＤＴＭＦ符号化回路、１１４  音声符号化回路、１１６  ＤＴＭＦ出力端子、１１５  出力選択回路。
【図１】
0003786842.tif 000002
【図２】
0003786842.tif 000003
【図３】
0003786842.tif 000004
【図４】
0003786842.tif 000005
【図５】
0003786842.tif 000006
【図６】
0003786842.tif 000007
【図７】
0003786842.tif 000008
【図８】
0003786842.tif 000009
【図９】
0003786842.tif 000010
【図１０】
0003786842.tif 000011
【図１１】
0003786842.tif 000012
【図１２】
0003786842.tif 000013
【図１３】
0003786842.tif 000014
【図１４】
0003786842.tif 000015
【図１５】
0003786842.tif 000016
【図１６】
0003786842.tif 000017
【図１７】
0003786842.tif 000018
【図１８】
0003786842.tif 000019
【図１９】
0003786842.tif 000020
【図２０】
0003786842.tif 000021
【図２１】
0003786842.tif 000022
【図２２】
0003786842.tif 000023
【図２３】
0003786842.tif 000024
【図２４】
0003786842.tif 000025
【図２５】
0003786842.tif 000026
【図２６】
0003786842.tif 000027
【図２７】
0003786842.tif 000028
【図２８】
0003786842.tif 000029